(57)【要約】【課題】通帳挿入排出口への通帳の挿入を的確にガイドする。【解決手段】本発明は、硬貨投入取出口と紙幣投入取出口とが形成された上向パネルと、通帳挿入排出口が形成された前向パネルとを有するフロントパネルと、前向パネルに通帳挿入排出口の下縁から突出するように設けられたステージと、ステージよりも上側となる前向パネルの所定位置に配置され、少なくとも硬貨投入取出口の中央部から紙幣投入取出口の中央部までを撮影範囲とするカメラとを設け、ステージの突出長さを伸ばしても硬貨投入取出口の中央部及び紙幣投入取出口の中央部の撮影を遮らない箇所にステージ張出部を設ける。よって任意の頁で開かれた通帳が１８０度の開き角度よりも大きな角度で折れ曲っていても、ステージ上に表表紙の先端部を確実に載せさせて通帳挿入排出口に挿入させることができ、通帳挿入排出口への通帳の挿入を的確にガイドすることができる。【選択図】図４
2014078068.tif 000002
【特許請求の範囲】
【請求項１】
上側を向く表面の後端部に硬貨を投入させ、また取り出させるための硬貨投入取出口と、紙幣を投入させ、また取り出させるための紙幣投入取出口とが並べて形成された上向パネルと、前側を向く表面において上記硬貨投入取出口及び上記紙幣投入取出口の上側となる所定位置に通帳を挿入及び排出するための通帳挿入排出口が形成された前向パネルとを有するフロントパネルと、
上記前向パネルの上記表面に、上記通帳挿入排出口の下縁から前側に突出するように設けられたステージと、
上記ステージよりも上側となる上記前向パネルの所定位置に配置され、少なくとも上記硬貨投入取出口の中央部から上記紙幣投入取出口の中央部までを撮影範囲とするカメラと
を具え、
上記ステージは、上記前向パネルの表面からの突出長さが、上記カメラによる上記硬貨投入取出口の中央部及び上記紙幣投入取出口の中央部の撮影を遮らない所定長さに選定されるものの、上記突出長さを上記所定長さより長くしても上記カメラによる上記硬貨投入取出口の中央部及び上記紙幣投入取出口の中央部の撮影を遮らない箇所には上記突出長さを上記所定長さよりも長くするようにステージ張出部が設けられた
現金取扱装置。
【請求項２】
上記ステージ張出部は、
台形状に形成された
請求項１に記載の現金取扱装置。
【請求項３】
上記前向パネルは、
上記表面の上記通帳挿入排出口が形成された所定部分が、前斜め上側を向く傾斜面として形成され、
上記ステージは、
上記前向パネルの上記表面に、上面を水平にして設けられた
請求項２に記載の現金取扱装置。
【請求項４】
上記前向パネルに設けられ、上記通帳挿入排出口の位置を通知するための通帳口通知部
を具える請求項３に記載の現金取扱装置。
【請求項５】
上記通帳口通知部は、
光源と、
上記光源の発射した発射光を導光してコ字状の発光面を面発光させる導光部と
を具え、
上記導光部は、
上記前向パネルに、上記発光面を上記通帳挿入排出口の縁部に沿わせて設けられた
請求項４に記載の現金取扱装置。
【請求項６】
上記導光部は、
上記導光した上記発射光により上記通帳挿入排出口内を照明する
請求項５に記載の現金取扱装置。
【請求項７】
上記フロントパネルは、
上記前向パネルの上記表面に、上記通帳挿入排出口と並べるようにして、カードを挿入及び排出するためのカード挿入排出口が形成され、
上記ステージは、
上記前向パネルの上記表面に、上記通帳投入取出口の下縁から上記カード挿入排出口の下縁に亘り前側に突出するように設けられた
請求項６に記載の現金取扱装置。
【発明の詳細な説明】
【技術分野】
【０００１】
本発明は現金取扱装置に関し、例えば、現金としての硬貨及び紙幣の入金及び出金の取引を行う現金自動預払機（ATM：Automatic  Teller  Machine）に適用して好適なものである。
【背景技術】
【０００２】
従来の現金自動預払機は、本体筐体の前上端部にＬ字状のフロントパネルが設けられている。そして現金自動預払機は、フロントパネルにおいて表面が上側を向く上向パネルの当該表面の左後端部に硬貨投入取出口が形成されると共に、右後端部に紙幣投入取出口が形成されている。
【０００３】
また現金自動預払機は、フロントパネルにおいて表面が前側を向く前向パネルの当該表面の中央左端部に、天綴じ冊子状の通帳を任意の頁で開いた状態で表表紙側から挿入させ、また開いた状態で裏表紙側から排出するための通帳挿入排出口が突出するように設けられている。
【０００４】
因みに、以下の説明では、通帳において任意の頁で開かれた場合に表表紙側に位置する１又は複数枚の中紙を、表側中紙とも呼び、裏表紙側に位置する１又は複数枚の中紙を、裏側中紙とも呼ぶ。
【０００５】
さらに現金自動預払機は、前向パネルの表面の中央右端部に、キャッシュカードやクレジットカードのようなカードを挿入させ、また排出するためのカード挿入排出口が突出するように設けられている。
【０００６】
そして現金自動預払機は、本体筐体の後上端部において通帳挿入排出口の後側に、通帳の裏表紙上の磁気テープから顧客の口座番号等の顧客情報を読み取り、また通帳の中紙に取引の日時や種類、取引後の顧客の口座の残高等からなる取引履歴情報を印刷するような所定の通帳処理を実行する通帳処理ユニットが収納されている。
【０００７】
また現金自動預払機は、本体筐体の後上端部においてカード挿入排出口の後側に、カードから顧客の口座番号等の顧客情報を読み取るような所定のカード処理を実行するカード処理ユニットが収納されている。
【０００８】
現金自動預払機は、係る構成のもと、入金や出金の取引時、顧客により任意の頁で開かれた通帳が通帳挿入排出口に挿入されると、通帳処理ユニットにより当該通帳を取り込んで、磁気テープから顧客情報を読み取る。
【０００９】
また現金自動預払機は、入金や出金の取引時、顧客によりカードがカード挿入排出口に挿入されると、カード処理ユニットにより当該カードを取り込んで顧客情報を読み取る。
【００１０】
そのうえで、現金自動預払機は、顧客に硬貨投入取出口や紙幣投入取出口に入金用の硬貨や紙幣を投入させ、また硬貨投入取出口や紙幣投入取出口から出金用の硬貨や紙幣を取り出させる。
【００１１】
そして現金自動預払機は、通帳処理ユニットにより通帳の中紙に取引履歴情報を印刷して、当該取引履歴情報を印刷した通帳を通帳挿入排出口から排出するようにして顧客に受け取らせる。
【００１２】
また現金自動預払機は、カード処理ユニットによりカードをカード挿入排出口から排出するようにして顧客に受け取らせる。
【００１３】
このようにして現金自動預払機は、硬貨や紙幣の入金や出金の取引を行うと共に、その取引内容に応じて通帳を記帳して（すなわち、取引履歴情報を印刷して）返却していた（例えば、特許文献１参照）。
【先行技術文献】
【特許文献】
【００１４】
【特許文献１】特開２００８−１９８１５０公報（第４頁、第６頁、図３）
【発明の概要】
【発明が解決しようとする課題】
【００１５】
ところで近年、この種の現金自動預払機としては、通帳挿入排出口の下端に通帳を挿入排出用に一旦載せるための平板状のステージが突設されると共に、カード挿入排出口の下端にカードを挿入排出用に一旦載せるための平板状のステージが突設されたものがある。
【００１６】
また近年、この種の現金自動預払機としては、例えば、出金用の硬貨や紙幣を取り忘れたと偽り不当に取得するような犯罪を防止するために、硬貨投入取出口や紙幣投入取出口を撮影するためのカメラが設けられ、硬貨投入取出口や紙幣投入取出口から出金用の硬貨や紙幣が取り出されたか否かをカメラの撮影画像によって確認可能にしたものもある。
【００１７】
そして最近では、この種の現金自動預払機として、通帳及びカードを挿入排出用に一旦載せるためのステージが設けられると共に、硬貨投入取出口及び紙幣投入取出口を撮影するためのカメラが設けられた図１２及び図１３に示すようなものがある。
【００１８】
図１２に示すように、係る現金自動預払機１００は、略箱型の筐体（以下、これを預払機筐体とも呼ぶ）１０１を有している。
【００１９】
因みに、以下の説明では、現金自動預払機１００を、預払機筐体１０１の前面１０１Ａと対峙して見た場合の図中に矢印ａ２で示す左の方向を、預払機左方向とも呼び、当該預払機左方向とは逆の方向を、預払機右方向とも呼ぶ。
【００２０】
また、以下の説明では、現金自動預払機１００を、預払機筐体１０１の前面１０１Ａと対峙して見た場合の図中に矢印ｂ２で示す上の方向を、預払機上方向とも呼び、当該預払機上方向とは逆の方向を、預払機下方向とも呼ぶ。
【００２１】
さらに、以下の説明では、現金自動預払機１００を、預払機筐体１０１の前面１０１Ａと対峙して見た場合の図中に矢印ｃ２で示す手前の方向を、預払機前方向とも呼び、当該預払機前方向とは逆の方向を、預払機後方向とも呼ぶ。
【００２２】
預払機筐体１０１は、前上端部に前面１０１Ａよりも後面１０１Ｂ側に凹む略Ｌ字状のフロントパネル１０２が設けられている。
【００２３】
そしてフロントパネル１０２の上向パネル１０２Ａは、その表面の中央部にタッチスクリーン１０３が配置されている。
【００２４】
またフロントパネル１０２の上向パネル１０２Ａは、その表面において前向パネル１０２Ｂとの境界部分の左寄り及び右寄りに（すなわち、預払機右方向に沿って並べるようにして）硬貨投入取出口１０２ＡＸ及び紙幣投入取出口１０２ＡＹが形成されている。
【００２５】
さらにフロントパネル１０２の前向パネル１０２Ｂは、その表面の中央部の左寄り及び右寄りに（すなわち、預払機右方向に沿って並べるようにして）通帳挿入排出口１０４及びカード挿入排出口１０５が形成されている。
【００２６】
さらにまた預払機筐体１０１は、後上端部において通帳挿入排出口１０４の後側に通帳処理ユニット１０６が収納されると共に、カード挿入排出口１０５の後側にカード処理ユニット１０７が収納されている。
【００２７】
ただし、図１３に示すように、現金自動預払機１００は、前向パネル１０２Ｂの表面において中央部から下端までに亘り比較的浅い凹部１０２ＢＸが形成されている。
【００２８】
また現金自動預払機１００は、前向パネル１０２Ｂの表面において、その上端部と凹部１０２ＢＸとの間に前斜め下側を向く傾斜面１０２ＢＹが形成されている。
【００２９】
因みに、上述の通帳挿入排出口１０４及びカード挿入排出口１０５は、前向パネル１０２Ｂの凹部１０２ＢＸにおいて傾斜面１０２ＢＹ寄りに形成されている。
【００３０】
そして前向パネル１０２Ｂの凹部１０２ＢＸには、例えば、通帳挿入排出口１０４の左下隅からカード挿入排出口１０５の右下隅までに亘り、細長い１枚の平板状のステージ（以下、これを通帳カードステージとも呼ぶ）１１０が、例えば、その後端部を凹部１０２ＢＸに埋め込むようにして設けられ、前端部を当該凹部１０２ＢＸから突出させている。
【００３１】
これにより現金自動預払機１００は、顧客により任意の頁で開かれた通帳が通帳挿入排出口１０４に前斜め上側から近づけられた場合、通帳カードステージ１１０の前端部に表表紙の先端部を載せさせて表側中紙を重ねさせたうえで、その通帳を表表紙側から通帳挿入排出口１０４に挿入させていた。
【００３２】
また現金自動預払機１００は、顧客によりカードがカード挿入排出口１０５に前斜め上側から近づけられた場合、通帳カードステージ１１０の前端部に当該カードの一端部を載せさせたうえでカード挿入排出口１０５に挿入させていた。
【００３３】
このようにして現金自動預払機１００は、通帳カードステージ１１０により、顧客に通帳挿入排出口１０４及びカード挿入排出口１０５への通帳及びカードの挿入をガイドしていた。
【００３４】
これに加えて前向パネル１０２Ｂは、上端部の裏面の中央部に、１個のカメラ１１１が撮影レンズを、傾斜面１０２ＢＹに穿設された撮影用孔部１０２ＢＺを介して下側に向けて、硬貨投入取出口１０２ＡＸから紙幣投入取出口１０２ＡＹまでを撮影可能なように配置されている。
【００３５】
これにより現金自動預払機１００は、例えば出金時、カメラ１１１により、硬貨投入取出口１０２ＡＸ及び紙幣投入取出口１０２ＡＹを撮影しておき、当該カメラ１１１の撮影画像により、硬貨投入取出口１０２ＡＸ及び紙幣投入取出口１０２ＡＹに手が差し入れられて出金用の硬貨及び紙幣が取り出されたか否かを確認可能にしていた。
【００３６】
ところが、現金自動預払機１００では、上向パネル１０２Ａの表面の後端部に硬貨投入取出口１０２ＡＸ及び紙幣投入取出口１０２ＡＹが形成されると共に、当該硬貨投入取出口１０２ＡＸ及び紙幣投入取出口１０２ＡＹの上側に通帳カードステージ１１０が設けられ、さらに通帳カードステージ１１０の上側にカメラ１１１が配置されている。
【００３７】
このため現金自動預払機１００では、通帳カードステージ１１０がカメラ１１１による硬貨投入取出口１０２ＡＸ及び紙幣投入取出口１０２ＡＹの撮影を遮らないように、当該通帳カードステージ１１０の前端部の突出長さ（すなわち、通帳カードステージ１１０の前端から前向パネル１０２Ｂの表面までの預払機前後方向の長さ）が比較的短く選定されている。
【００３８】
また通帳は、その綴じ部が閉じた状態を維持するような弾力を有するように作成されているものの、顧客により例えば、通帳挿入排出口１０４への挿入用に開いた状態を維持させ易くしようとして何度か折り返されていると、綴じ部に通帳を折り返すような折れ癖が付いて当該綴じ部の弾力が低下する。
【００３９】
そして図１４に示すように、通帳１１５は、綴じ部１１５Ａの弾力が低下していると、開かれて裏表紙１１６Ｂ及び裏側中紙１１７Ｂが挟持された際、例えば、折れ癖や表表紙１１６Ａ及び表側中紙１１７Ａの自重により、裏表紙１１６Ｂに対し表表紙１１６Ａが１８０度の開き角度よりも大きな角度で折れ曲がる場合がある。
【００４０】
すなわち、通帳１１５は、綴じ部１１５Ａの弾力が低下していると、開かれた際、裏表紙１１６Ｂに対し表表紙１１６Ａが、その先端部を裏表紙１１６Ｂよりも下げて表側中紙１１７Ａの先端部よりも裏表紙１１６Ｂ側に位置させるように折れ曲がる場合がある。
【００４１】
このような場合、現金自動預払機１００は、通帳カードステージ１１０の前端部の突出長さが比較的短いため、顧客により通帳１１５が通帳挿入排出口１０４に前斜め上側から近づけられても、その前端部に表表紙１１６Ａの先端部を載せさせることができずに、前向パネル１０２Ｂの表面に表側中紙１１７Ａの先端部を接触又は近接させることになる。
【００４２】
また図１５に示すように、現金自動預払機１００は、この際、顧客により通帳カードステージ１１０の前端部に通帳１１５の表表紙１１６Ａの先端部が載っていないことに気づかれずに表側中紙１１７Ａの先端部が下げられると、その前端部に表側中紙１１７Ａのみを載せさせることになる。
【００４３】
ここで、通帳処理ユニット１０６は、通帳挿入排出口１０４の後側となる位置に、通帳１１５の搬送路を形成するための一対の上搬送ガイド１２０及び下搬送ガイド１２１が対向配置されている。
【００４４】
また通帳処理ユニット１０６は、通帳１１５を搬送するための上搬送ローラ１２２及び下搬送ローラ１２３が、上搬送ガイド１２０及び下搬送ガイド１２１の対応する孔部を介して搬送路内で互いの一部を接触させて設けられている。
【００４５】
そして通帳処理ユニット１０６は、通帳挿入排出口１０４に通帳１１５が挿入される際、上搬送ローラ１２２及び下搬送ローラ１２３を、当該通帳１１５を取り込んで搬送可能なように互いに逆回転させている。
【００４６】
よって図１６に示すように、通帳処理ユニット１０６は、顧客により通帳１１５が、通帳カードステージ１１０の前端部に表側中紙１１７Ａのみを載せた状態で通帳挿入排出口１０４に挿入されると、通帳１１５の表側中紙１１７Ａを上搬送ローラ１２２及び下搬送ローラ１２３に挟み込むようにして引き込む。
【００４７】
そして通帳処理ユニット１０６は、表側中紙１１７Ａの引き込みにより、通帳１１５を、表表紙１１６Ａを通帳カードステージ１１０の前端に突き当てて折り返し、その表表紙１１６Ａにより磁気テープ１３０を覆い隠した状態にして内部に取り込む。
【００４８】
ただし、通帳処理ユニット１０６は、このように通帳１１５を表表紙１１６Ａが折り返された状態で取り込むと、内部の顧客情報読取部と通帳１１５の磁気テープ１３０との間に表表紙１１６Ａが介在するために、当該顧客情報読取部により磁気テープ１３０から顧客情報を読み取ることができない。
【００４９】
このため通帳処理ユニット１０６は、このとき取り込んだものが通帳１１５であるとは確認することができず、その通帳１１５を上搬送ローラ１２２及び下搬送ローラ１２３を介して繰り出すようにして通帳挿入排出口１０４から排出する。
【００５０】
そして従来の現金自動預払機１００は、このようにして通帳挿入排出口１０４から通帳１１５を排出すると、顧客に対し再び通帳挿入排出口１０４に通帳１１５を挿入させることになる。
【００５１】
このように従来の現金自動預払機１００は、通帳１１５を通帳挿入排出口１０４への挿入用に一旦載せるための通帳カードステージ１１０が設けられていても、通帳挿入排出口１０４に通帳１１５を的確に挿入させるようにガイドするには未だ不十分であるという問題があった。
【００５２】
本発明は以上の点を考慮してなされたもので、通帳挿入排出口への通帳の挿入を的確にガイドし得る現金取扱装置を提案しようとするものである。
【課題を解決するための手段】
【００５３】
かかる課題を解決するため本発明においては、上側を向く表面の後端部に硬貨を投入させ、また取り出させるための硬貨投入取出口と、紙幣を投入させ、また取り出させるための紙幣投入取出口とが並べて形成された上向パネルと、前側を向く表面において硬貨投入取出口及び紙幣投入取出口の上側となる所定位置に通帳を挿入及び排出するための通帳挿入排出口が形成された前向パネルとを有するフロントパネルと、前向パネルの表面に、通帳挿入排出口の下縁から前側に突出するように設けられたステージと、ステージよりも上側となる前向パネルの所定位置に配置され、少なくとも硬貨投入取出口の中央部から紙幣投入取出口の中央部までを撮影範囲とするカメラとを設けるようにし、ステージの前向パネルの表面からの突出長さを、カメラによる硬貨投入取出口の中央部及び紙幣投入取出口の中央部の撮影を遮らない所定長さに選定するものの、当該ステージにおいて突出長さを当該所定長さより長くしてもカメラによる硬貨投入取出口の中央部及び紙幣投入取出口の中央部の撮影を遮らない箇所には突出長さを、その所定長さよりも長くするようにステージ張出部を設けるようにした。
【００５４】
従って本発明では、通帳が通帳挿入排出口への挿入用に任意の頁で開かれた場合に、裏表紙に対し表表紙が１８０度の開き角度よりも大きな角度で折れ曲っていても、当該通帳を、ステージ上に表表紙の先端部を確実に載せさせて表側中紙と揃えさせたうえで通帳挿入排出口に挿入させることができる。
【発明の効果】
【００５５】
本発明によれば、上側を向く表面の後端部に硬貨を投入させ、また取り出させるための硬貨投入取出口と、紙幣を投入させ、また取り出させるための紙幣投入取出口とが並べて形成された上向パネルと、前側を向く表面において硬貨投入取出口及び紙幣投入取出口の上側となる所定位置に通帳を挿入及び排出するための通帳挿入排出口が形成された前向パネルとを有するフロントパネルと、前向パネルの表面に、通帳挿入排出口の下縁から前側に突出するように設けられたステージと、ステージよりも上側となる前向パネルの所定位置に配置され、少なくとも硬貨投入取出口の中央部から紙幣投入取出口の中央部までを撮影範囲とするカメラとを設けるようにし、ステージの前向パネルの表面からの突出長さを、カメラによる硬貨投入取出口の中央部及び紙幣投入取出口の中央部の撮影を遮らない所定長さに選定するものの、当該ステージにおいて突出長さを当該所定長さより長くしてもカメラによる硬貨投入取出口の中央部及び紙幣投入取出口の中央部の撮影を遮らない箇所には突出長さを、その所定長さよりも長くするようにステージ張出部を設けるようにしたことにより、通帳が通帳挿入排出口への挿入用に任意の頁で開かれた場合に、裏表紙に対し表表紙が１８０度の開き角度よりも大きな角度で折れ曲っていても、当該通帳を、ステージ上に表表紙の先端部を確実に載せさせて表側中紙と揃えさせたうえで通帳挿入排出口に挿入させることができ、かくして通帳挿入排出口への通帳の挿入を的確にガイドし得る現金取扱装置を実現することができる。
【図面の簡単な説明】
【００５６】
【図１】本発明による現金自動預払機の外観構成の一実施の形態を示す略線的斜視図である。
【図２】現金自動預払機の内部構成を示す略線的斜視図である。
【図３】通帳の構成を示す略線的斜視図である。
【図４】フロントパネルの構成（１）を示す略線的正面図である。
【図５】フロントパネルの構成（２）を示す略線的断面図である。
【図６】通帳カードステージの構成を示す略線的斜視図である。
【図７】通帳口通知部の構成を示す略線的斜視図である。
【図８】通帳口通知部の導光部による発射光の導光の説明に供する略線的断面図及び略線的側面図である。
【図９】通帳口通知部による通帳挿入排出口の位置の通知の説明に供する略線的斜視図である。
【図１０】通帳挿入排出通路と通帳処理ユニットとの接続の説明に供する略線的断面図である。
【図１１】通帳カードステージのステージ前端部の構成を示す略線的断面図である。
【図１２】従来の現金自動預払機の構成を示す略線的斜視図である。
【図１３】従来の現金自動預払機における通帳カードステージ及びカメラの配置の説明に供する略線的斜視図である。
【図１４】通帳挿入排出口への通帳の挿入（１）の説明に供する略線的側面図である。
【図１５】通帳挿入排出口への通帳の挿入（２）の説明に供する略線的側面図である。
【図１６】通帳挿入排出口への通帳の挿入（３）の説明に供する略線的側面図である。
【発明を実施するための形態】
【００５７】
以下図面を用いて、発明を実施するための最良の形態（以下、これを実施の形態とも呼ぶ）について説明する。なお、説明は以下の順序で行う。
（１）実施の形態
（２）他の実施の形態
【００５８】
（１）実施の形態
（１−１）現金自動預払機の外観構成
図１において、１は全体として本発明を適用した現金自動預払機の外観構成を示す。かかる現金自動預払機１は、略箱型の筐体（以下、これを預払機筐体とも呼ぶ）２を有している。
【００５９】
因みに、以下の説明では、現金自動預払機１を、預払機筐体２の前面２Ａと対峙して見た場合の図中に矢印ａ１で示す左の方向を、預払機左方向とも呼び、当該預払機左方向とは逆の方向を、預払機右方向とも呼ぶ。
【００６０】
そして、以下の説明では、預払機左方向及び預払機右方向を特に区別する必要がない場合、これらをまとめて預払機左右方向とも呼ぶ。
【００６１】
また、以下の説明では、現金自動預払機１を、預払機筐体２の前面２Ａと対峙して見た場合の図中に矢印ｂ１で示す上の方向を、預払機上方向とも呼び、当該預払機上方向とは逆の方向を、預払機下方向とも呼ぶ。
【００６２】
そして、以下の説明では、預払機上方向及び預払機下方向を特に区別する必要がない場合、これらをまとめて預払機上下方向とも呼ぶ。
【００６３】
さらに、以下の説明では、現金自動預払機１を、預払機筐体２の前面２Ａと対峙して見た場合の図中に矢印ｃ１で示す手前の方向を、預払機前方向とも呼び、当該預払機前方向とは逆の方向を、預払機後方向とも呼ぶ。
【００６４】
そして、以下の説明では、預払機前方向及び預払機後方向を特に区別する必要がない場合、これらをまとめて預払機前後方向とも呼ぶ。
【００６５】
預払機筐体２の前上端部には、前面２Ａよりも後面２Ｂ側に凹むように略Ｌ字状に形成されたフロントパネル３が設けられている。
【００６６】
フロントパネル３において表面が上側を向く上向パネル３Ａは、例えば、その表面の左後端部に、顧客に入金用の硬貨を投入させ、また出金用の硬貨を取り出させるための略円形状の硬貨投入取出口３ＡＸが形成されている。
【００６７】
また上向パネル３Ａは、例えば、その表面の右後端部に、顧客に入金用の紙幣を投入させ、また出金用の紙幣を取り出させるための略長方形状の紙幣投入取出口３ＡＹが預払機左右方向と平行に形成されている。
【００６８】
さらに上向パネル３Ａには、例えば、その表面の中央前端部に、種々の操作画像の表示及び表面へのタッチ操作が可能なタッチスクリーン４が配置されている。
【００６９】
因みに、預払機筐体２内には、上向パネル３Ａの裏面側に、硬貨投入取出口３ＡＸを開放及び閉塞するためのシャッタ（以下、これを硬貨口用シャッタとも呼ぶ）５を有し、取引の有無に応じて当該硬貨口用シャッタ５を開閉する硬貨口用シャッタ開閉部（図示せず）が配置されている。
【００７０】
また預払機筐体２内には、上向パネル３Ａの裏面側に、紙幣投入取出口３ＡＹを開放及び閉塞するためのシャッタ（以下、これを紙幣口用シャッタとも呼ぶ）６を有し、取引の有無に応じて当該紙幣口用シャッタ６を開閉する紙幣口用シャッタ開閉部（図示せず）が配置されている。
【００７１】
一方、フロントパネル３において表面が前側を向く前向パネル３Ｂには、例えば、その表面の中央部の左寄りに、取引の際、天綴じ冊子状の通帳を開いた状態で表表紙側から挿入させ、また当該通帳を開いた状態で裏表紙側から排出するための略長方形状の通帳挿入排出口８が預払機左右方向と平行に形成されている。
【００７２】
また前向パネル３Ｂには、例えば、その表面の中央部の右寄りに、取引の際、キャッシュカードやクレジットカード等の長方形状のカードを、その長手方向の一端側から挿入させ、また当該カードを、その長手方向の他端側から排出するための略長方形状のカード挿入排出口９が預払機左右方向と平行に形成されている。
【００７３】
すなわち、前向パネル３Ｂには、その表面の中央部に、通帳挿入排出口８及びカード挿入排出口９が預払機右方向に沿って所定の間隔で順に並ぶように形成されている。
【００７４】
因みに、通帳挿入排出口８は、その横幅（すなわち、預払機左右方向の長さ）が、カード挿入排出口９の横幅（すなわち、預払機左右方向の長さ）よりも長い所定長さに選定されている。
【００７５】
また通帳挿入排出口８及びカード挿入排出口９は、例えば、各々の縦幅（すなわち、預払機上下方向の長さ）が等しい所定長さに選定されている。
【００７６】
現金自動預払機１は、係る構成のもと、タッチスクリーン４に操作画像を表示すると共に、顧客によるタッチスクリーン４の表面へのタッチ操作に応じて、当該タッチスクリーン４に表示する操作画像を適宜切り換える。
【００７７】
そして現金自動預払機１は、タッチスクリーン４に適宜切り換えて表示する操作画像によって、顧客に硬貨や紙幣の預け入れのような入金や、硬貨や紙幣の払い出しのような出金等の所望の取引の手順を案内する。
【００７８】
これにより現金自動預払機１は、顧客に取引の手順の案内に従って、通帳挿入排出口８やカード挿入排出口９に通帳やカードを挿入させる。
【００７９】
そのうえで、現金自動預払機１は、顧客に取引の手順の案内に従って、硬貨投入取出口３ＡＸや紙幣投入取出口３ＡＹに入金用の硬貨や紙幣を投入させ、又は当該硬貨投入取出口３ＡＸや紙幣投入取出口３ＡＹから出金用の硬貨や紙幣を取り出させる。
【００８０】
そして現金自動預払機１は、通帳挿入排出口８から通帳を排出し、またカード挿入排出口９からカードを排出すると共に、顧客に取引の手順の案内に従って、これら通帳やカードを受け取らせる。
【００８１】
このようにして現金自動預払機１は、顧客が所望する現金（すなわち、硬貨や紙幣）の入金や出金等の取引を行うことができる。
【００８２】
（１−２）現金自動預払機の内部構成
次いで、現金自動預払機１の内部構成について説明する。図２に示すように、現金自動預払機１の預払機筐体２は、前向パネル３Ｂの裏面側となる後上端部において通帳挿入排出口８の後側に、所定の通帳処理を実行する通帳処理ユニット１５が収納されている。
【００８３】
また預払機筐体２は、その後上端部においてカード挿入排出口９の後側に、所定のカード処理を実行するカード処理ユニット１６が収納されている。
【００８４】
さらに預払機筐体２は、上向パネル３Ａの裏面側となる下端部において硬貨投入取出口３ＡＸの下側に、硬貨入金処理及び硬貨出金処理を実行する硬貨処理ユニット１７が収納されている。
【００８５】
さらに預払機筐体２は、その下端部において紙幣投入取出口３ＡＹの下側に、紙幣入金処理及び紙幣出金処理を実行する紙幣処理ユニット１８が収納されている。
【００８６】
さらに預払機筐体２は、下端部において硬貨処理ユニット１７の下側に、現金自動預払機１全体を統括制御する制御ユニット２０が収納されている。
【００８７】
通帳処理ユニット１５は、通帳の裏表紙に貼着されている磁気テープから、これに記録されている顧客の口座番号等の顧客情報を読み取る顧客情報読取部が設けられている。
【００８８】
また通帳処理ユニット１５は、通帳の中紙に取引の日時や種類、取引後の顧客の口座の残高等からなる取引履歴情報を印刷するための印刷部等も設けられている。
【００８９】
因みに、通帳処理ユニット１５は、通帳挿入排出口８との対向位置（以下、これを通帳取込繰出位置とも呼ぶ）及び顧客情報読取部の間や当該顧客情報読取部及び印刷部の間にそれぞれ、搬送ガイドや搬送ローラ、ローラ駆動モータ等の複数種類の搬送路形成部品を有する通帳搬送部が配置されている。
【００９０】
そして通帳搬送部は、これら複数種類の搬送路形成部品により、通帳挿入排出口８に開いた状態で表表紙側から挿入された通帳を、その開いた状態のまま通帳取込繰出位置で取り込んで顧客情報読取部や印刷部まで搬送し、また印刷部から通帳を開いた状態で裏表紙側から顧客情報読取部や通帳取込繰出位置まで搬送して当該通帳取込繰出位置から通帳挿入排出口８へと繰り出すための搬送路を形成している。
【００９１】
カード処理ユニット１６は、カードから、これに記録されている顧客の口座番号等の顧客情報を読み取る顧客情報読取部等が設けられている。
【００９２】
因みに、カード処理ユニット１６は、カード挿入排出口９との対向位置（以下、これをカード取込繰出位置とも呼ぶ）及び顧客情報読取部の間に、搬送ガイドや搬送ローラ、ローラ駆動モータ等の複数種類の搬送路形成部品を有するカード搬送部が配置されている。
【００９３】
そしてカード搬送部は、これら複数種類の搬送路形成部品により、カード挿入排出口９に挿入されたカードを、カード取込繰出位置から取り込んで顧客情報読取部まで搬送し、また顧客情報読取部からカード取込繰出位置まで搬送して当該カード取込繰出位置からカード挿入排出口９へと繰り出すための搬送路を形成している。
【００９４】
硬貨処理ユニット１７は、顧客により硬貨投入取出口３ＡＸに投入された入金用の硬貨を受け取り、また顧客に硬貨投入取出口３ＡＸを介して出金用の硬貨を引き渡すための硬貨受皿が設けられている。
【００９５】
また硬貨処理ユニット１７は、入金用の硬貨や出金用の硬貨を１枚ずつに分離する硬貨分離部、当該硬貨の金種や状態等を鑑別する硬貨鑑別部、入金用の硬貨を収納し、また出金用の硬貨を繰り出す複数の硬貨収納庫等も設けられている。
【００９６】
因みに、硬貨処理ユニット１７は、硬貨受皿及び硬貨分離部の間や当該硬貨分離部及び硬貨鑑別部の間、その硬貨鑑別部及び複数の硬貨収納庫の間等に搬送ガイドや搬送ベルト、シュータ、ベルト駆動モータ等の複数種類の搬送路形成部品を有する硬貨搬送部が配置されている。
【００９７】
そして硬貨搬送部は、これら複数種類の搬送路形成部品により、硬貨受皿及び硬貨分離部の間や当該硬貨分離部及び硬貨鑑別部の間、硬貨鑑別部及び複数の硬貨収納庫の間等で硬貨を搬送するための搬送路を形成している。
【００９８】
紙幣処理ユニット１８は、顧客により紙幣投入取出口３ＡＹに投入された入金用の紙幣を受け取り、また顧客に紙幣投入取出口３ＡＹを介して出金用の紙幣を引き渡すための紙幣受皿が設けられている。
【００９９】
また紙幣処理ユニット１８は、入金用の紙幣や出金用の紙幣の金種や状態等を鑑別する紙幣鑑別部、入金用の紙幣を収納し、また出金用の紙幣を繰り出す複数の紙幣収納庫等も設けられている。
【０１００】
因みに、紙幣処理ユニット１８は、紙幣受皿及び紙幣鑑別部の間や当該紙幣鑑別部及び複数の紙幣収納庫の間等に搬送ガイドや搬送ローラ、ローラ駆動モータ等の複数種類の搬送路形成部品を有する紙幣搬送部が配置されている。
【０１０１】
そして紙幣搬送部は、これら複数種類の搬送路形成部品により、紙幣受皿及び紙幣鑑別部の間や当該紙幣鑑別部及び複数の紙幣収納庫の間等で紙幣を搬送するための搬送路を形成している。
【０１０２】
制御ユニット２０は、係る構成のもと、入金時、顧客により通帳挿入排出口８に通帳が開かれた状態で表表紙側から挿入されると、その通帳を開いた状態のまま通帳処理ユニット１５に取り込んで、当該通帳処理ユニット１５に通帳処理を実行させる。
【０１０３】
これにより制御ユニット２０は、通帳処理ユニット１５に顧客情報読取部を介して通帳の磁気テープから顧客情報を読み取らせる。
【０１０４】
また制御ユニット２０は、顧客によりカード挿入排出口９にカードが挿入されると、そのカードをカード処理ユニット１６に取り込んで、当該カード処理ユニット１６にカード処理を実行させる。
【０１０５】
これにより制御ユニット２０は、カード処理ユニット１６に顧客情報読取部を介してカードから顧客情報を読み取らせる。
【０１０６】
このようにして制御ユニット２０は、通帳の磁気テープやカードから顧客情報を読み取ると、その顧客情報を、ネットワークを介して金融機関の顧客管理装置（図示せず）に送信する。
【０１０７】
これにより制御ユニット２０は、顧客管理装置に対し顧客情報に基づき顧客に対する認証処理（すなわち、金融機関に口座を開設している顧客であるか否かを確認するための処理）を実行させる。
【０１０８】
その結果、制御ユニット２０は、顧客管理装置により顧客が認証されると、硬貨口用シャッタ開閉部に硬貨口用シャッタ５を開かせると共に、紙幣口用シャッタ開閉部に紙幣口用シャッタ６を開かせて、顧客に硬貨投入取出口３ＡＸや紙幣投入取出口３ＡＹに対する入金用の硬貨や紙幣の投入を促す。
【０１０９】
そして制御ユニット２０は、顧客により硬貨投入取出口３ＡＸに入金用の硬貨が投入されると、その硬貨を硬貨処理ユニット１７に硬貨受皿を介して取り込んで、当該硬貨処理ユニット１７に硬貨入金処理を実行させる。
【０１１０】
これにより制御ユニット２０は、硬貨処理ユニット１７において入金用の硬貨を鑑別させた後、複数の硬貨収納庫に当該入金用の硬貨を金種別に収納させる。
【０１１１】
また制御ユニット２０は、この際、顧客により紙幣投入取出口３ＡＹに入金用の紙幣が投入されると、その紙幣を紙幣処理ユニット１８に紙幣受皿を介して取り込んで、当該紙幣処理ユニット１８に紙幣入金処理を実行させる。
【０１１２】
これにより制御ユニット２０は、紙幣処理ユニット１８において入金用の紙幣を鑑別させた後、複数の紙幣収納庫に当該入金用の紙幣を金種別に収納させる。
【０１１３】
このようにして制御ユニット２０は、硬貨入金処理や紙幣入金処理が完了すると、顧客により入金された硬貨や紙幣の総額を示す総額情報を、先の顧客情報と共にネットワークを介して顧客管理装置に送信する。
【０１１４】
これにより制御ユニット２０は、顧客管理装置に対し総額情報及び顧客情報に基づき、顧客の口座情報（すなわち、入金取引の日時や金額、入金後の口座の残高等）を更新させる。
【０１１５】
そして制御ユニット２０は、顧客管理装置から顧客の口座情報の更新結果が通知されると、通帳処理ユニット１５に通帳処理を実行させる。
【０１１６】
これにより制御ユニット２０は、通帳処理ユニット１５に、その更新結果に基づき印刷部を介して通帳の中紙に取引履歴情報を印刷させた後、その通帳を開いた状態のまま裏表紙側から通帳挿入排出口８を介して排出させるようにして顧客に受け取らせる。
【０１１７】
また制御ユニット２０は、この際、カード処理ユニット１６にカードをカード挿入排出口９から排出させるようにして顧客に受け取らせる。
【０１１８】
このようにして制御ユニット２０は、入金時、通帳処理ユニット１５に通帳処理を実行させると共に、カード処理ユニット１６にカード処理を実行させ、また硬貨処理ユニット１７に硬貨入金処理を実行させると共に、紙幣処理ユニット１８に紙幣入金処理を実行させて、顧客の所望する取引としての現金（すなわち、硬貨や紙幣）の入金を行うことができる。
【０１１９】
一方、制御ユニット２０は、出金時、顧客により通帳挿入排出口８に通帳が開かれた状態で表表紙側から挿入されると、上述の入金時と同様に、その通帳を通帳処理ユニット１５に取り込んで当該通帳の磁気テープから顧客情報を読み取らせる。
【０１２０】
また制御ユニット２０は、顧客によりカード挿入排出口９にカードが挿入されると、上述の入金時と同様に、そのカードをカード処理ユニット１６に取り込んで当該カードから顧客情報を読み取らせる。
【０１２１】
このようにして制御ユニット２０は、通帳の磁気テープやカードから顧客情報を読み取ると、その顧客情報を、ネットワークを介して金融機関の顧客管理装置に送信して、当該顧客管理装置に対し上述の入金時と同様に顧客に対する認証処理を実行させる。
【０１２２】
その結果、制御ユニット２０は、顧客管理装置により顧客が認証されると、顧客に出金の金額を指定させる。
【０１２３】
そして制御ユニット２０は、その指定された金額に応じて硬貨処理ユニット１７に硬貨入金処理を実行させ、また紙幣処理ユニット１８に紙幣入金処理を実行させる。
【０１２４】
これにより制御ユニット２０は、硬貨処理ユニット１７において複数の硬貨収納庫から出金用の硬貨を繰り出させて鑑別させた後、硬貨受皿へ搬送させる。
【０１２５】
また制御ユニット２０は、紙幣処理ユニット１８において複数の紙幣収納庫から出金用の紙幣を繰り出させて鑑別させた後、紙幣受皿へ搬送させる。
【０１２６】
そして制御ユニット２０は、硬貨口用シャッタ開閉部に硬貨口用シャッタ５を開かせると共に、紙幣口用シャッタ開閉部に紙幣口用シャッタ６を開かせる。
【０１２７】
これにより制御ユニット２０は、顧客に硬貨投入取出口３ＡＸを介して硬貨受皿から出金用の硬貨を取り出させるようにして引き渡し、また紙幣投入取出口３ＡＹを介して紙幣受皿から出金用の紙幣を取り出させるようにして引き渡す。
【０１２８】
このようにして制御ユニット２０は、硬貨出金処理や紙幣出金処理が完了すると、顧客に出金した硬貨や紙幣の総額を示す総額情報を、先の顧客情報と共にネットワークを介して顧客管理装置に送信する。
【０１２９】
これにより制御ユニット２０は、顧客管理装置に対し上述の入金時と同様に、総額情報及び顧客情報に基づき顧客の口座情報を更新させる。
【０１３０】
そして制御ユニット２０は、顧客管理装置から顧客の口座情報の更新結果が通知されると、通帳処理ユニット１５に対し上述の入金時と同様に印刷部を介して通帳の中紙に取引履歴情報を印刷させた後、その通帳を開いた状態のまま裏表紙側から通帳挿入排出口８を介して排出させるようにして顧客に受け取らせる。
【０１３１】
また制御ユニット２０は、この際、カード処理ユニット１６に対し上述の入金時と同様に、カードをカード挿入排出口９から排出させるようにして顧客に受け取らせる。
【０１３２】
このようにして制御ユニット２０は、出金時、通帳処理ユニット１５に通帳処理を実行させると共に、カード処理ユニット１６にカード処理を実行させ、また硬貨処理ユニット１７に硬貨出金処理を実行させると共に、紙幣処理ユニット１８に紙幣出金処理を実行させて、顧客の所望する取引としての現金（すなわち、硬貨や紙幣）の出金を行うことができる。
【０１３３】
（１−３）通帳の構成
次いで、図３（Ａ）乃至（Ｃ）を用いて、上述した現金の入金や出金の取引の際に用いられる通帳２５の構成について説明する。
【０１３４】
図３（Ａ）乃至（Ｃ）に示すように、通帳２５は、１枚の表紙２６と、複数枚の中紙２７とを有している。表紙２６は、所定の厚みを有し、かつ所定の大きさを有する略長方形に形成されている。
【０１３５】
また複数枚の中紙２７は、それぞれ表紙２６の厚み以下の所定の厚みを有し、かつ当該表紙２６の大きさ以下の所定の大きさを有する略長方形に形成されている。
【０１３６】
そして通帳２５は、１枚の表紙２６と複数枚の中紙２７とが各々の長手方向の一端側と他端側とに二等分する位置を合わせて重ねられた状態で、当該二等分する位置で綴じられ、かつ折り畳まれて作成されている。
【０１３７】
因みに、以下の説明では、通帳２５において１枚の表紙２６と複数枚の中紙２７とが綴じられた部分を、綴じ部２５Ａとも呼ぶ。
【０１３８】
これにより通帳２５において表紙２６は、綴じ部２５Ａを境にした長手方向の一端側が表表紙２６Ａ（すなわち、常に露出される面である第１表紙、及びその裏面でなる第２表紙）になり、かつ他端側が裏表紙２６Ｂ（すなわち、常に露出される面である第４表紙、及びその裏面である第３表紙）になる。
【０１３９】
また通帳２５において複数枚の中紙２７は、綴じ部２５Ａを境にした長手方向の一端側の表裏がそれぞれ例えば、上述の取引履歴情報が印刷されるような頁になり、かつ他端側の表裏もそれぞれ頁になる。
【０１４０】
そして通帳２５は、係る構成により例えば、保管の際や持ち運びの際には閉じさせ、現金自動預払機１の通帳挿入排出口８への挿入の際や記帳内容の確認の際には任意の頁で開かせることができる。
【０１４１】
因みに、以下の説明では、通帳２５において１枚の表紙２６及び複数枚の中紙２７の長手方向を、まとめて通帳長手方向とも呼び、当該１枚の表紙２６及び複数枚の中紙２７の短手方向を、まとめて通帳幅方向とも呼ぶ。
【０１４２】
そして、以下の説明では、図中にＰＷで示す通帳２５の１枚の表紙２６において通帳幅方向の一方の縁から他方の縁までの長さを、通帳横幅とも呼ぶ。
【０１４３】
また、以下の説明では、通帳２５において任意の頁で開かれた場合に綴じ部２５Ａを境にして表表紙２６Ａ側に位置する１又は複数枚の中紙２７の一端側２７Ａや他端側２７Ａ、また一端側２７Ａ及び他端側２７Ａを、それぞれ表側中紙２７Ａとも呼ぶ。
【０１４４】
さらに、以下の説明では、通帳２５において任意の頁で開かれた場合に綴じ部２５Ａを境にして裏表紙２６Ｂ側に位置する１又は複数枚の中紙２７の一端側２７Ｂや他端側２７Ｂ、また一端側２７Ｂ及び他端側２７Ｂを、それぞれ裏側中紙２７Ｂとも呼ぶ。
【０１４５】
これに加えて通帳２５の裏表紙２６Ｂは、常に露出される面（すなわち、第４表紙）において通帳幅方向の一方の縁寄りに、上述の所定長さの磁気テープ２８が、その長手方向を通帳長手方向と平行にして（すなわち、一方の縁に沿って）貼着されている。
【０１４６】
よって通帳２５は、任意の頁が開かれた状態で現金自動預払機１の通帳挿入排出口８に挿入され通帳処理ユニット１５に取り込まれた場合、当該通帳処理ユニット１５において磁気テープ２８を顧客情報読取部と対峙させて、上述のように当該顧客情報読取部に磁気テープ２８から顧客情報を読み取らせることができる。
【０１４７】
（１−４）フロントパネルの構成
次いで、主に図４及び図５を用いて、現金自動預払機１のフロントパネル３の構成について説明する。因みに、図５は、フロントパネル３を、図４にＡ−Ａ′で示す切断線に沿って切断した場合の断面を示す。
【０１４８】
図４及び図５に示すように、フロントパネル３の上向パネル３Ａは、例えば、その表面が後端から前端にかけて徐々に下がるような傾斜面として形成されている。
【０１４９】
そして上向パネル３Ａは、その表面の後端部に、上述した硬貨投入取出口３ＡＸ及び紙幣投入取出口３ＡＹが預払機右方向に沿って所定の間隔で順に並ぶように形成されている。
【０１５０】
一方、フロントパネル３の前向パネル３Ｂは、その表面が例えば、上端部３ＢＰに対し中央部３ＢＱ及び下端部３ＢＲが段階的に深さを増して凹むように、当該上端部３ＢＰから下端部３ＢＲまでが略階段状に形成されている。
【０１５１】
そして前向パネル３Ｂの表面の上端部３ＢＰは、左縁部及び右縁部よりも中央部分を前側に突出させ、かつ前斜め上側を向くように傾斜する弓形傾斜面として形成されている。
【０１５２】
因みに、以下の説明では、前向パネル３Ｂの表面において弓形傾斜面として形成された上端部３ＢＰを、上部傾斜面３ＢＰとも呼ぶ。
【０１５３】
また前向パネル３Ｂの表面の中央部３ＢＱは、前斜め上側を向くように傾斜するものの、その傾斜角度が上部傾斜面３ＢＰの傾斜角度よりも小さい傾斜面として形成されている。
【０１５４】
因みに、以下の説明では、前向パネル３Ｂの表面において傾斜面として形成された中央部３ＢＱを、中央傾斜面３ＢＱとも呼ぶ。
【０１５５】
さらに前向パネル３Ｂの表面の下端部３ＢＲは、前斜め上側を向くように傾斜し、その傾斜角度が中央傾斜面３ＢＱの傾斜角度とほぼ等しい傾斜面として形成されている。
【０１５６】
因みに、以下の説明では、前向パネル３Ｂの表面において傾斜面として形成された下端部３ＢＲを、下部傾斜面３ＢＲとも呼ぶ。
【０１５７】
これに加えて前向パネル３Ｂの表面において上部傾斜面３ＢＰと中央傾斜面３ＢＱとの中間部分３ＢＳは、前斜め下側（すなわち、上向パネル３Ａの表面の後端部）を向くように傾斜する傾斜面として形成されている。
【０１５８】
因みに、以下の説明では、前向パネル３Ｂの表面において上部傾斜面３ＢＰと中央傾斜面３ＢＱとの中間部分３ＢＳ（すなわち、前斜め下側を向く傾斜面として形成された部分）を、上側中間傾斜面３ＢＳとも呼ぶ。
【０１５９】
また前向パネル３Ｂの表面において中央傾斜面３ＢＱと下部傾斜面３ＢＲとの中間部分３ＢＴも、前斜め下側（すなわち、上向パネル３Ａの表面の後端部）を向くように傾斜する傾斜面として形成されている。
【０１６０】
因みに、以下の説明では、前向パネル３Ｂの表面において中央傾斜面３ＢＱと下部傾斜面３ＢＲとの中間部分３ＢＴ（すなわち、前斜め下側を向く傾斜面として形成された部分）を、下側中間傾斜面３ＢＴとも呼ぶ。
【０１６１】
そして前向パネル３Ｂは、中央傾斜面３ＢＱの左下端部（すなわち、下側中間傾斜面３ＢＴとの境界部分の左寄り）に、通帳挿入排出口８を形成するための略長方形状の開口部３ＢＶが預払機左右方向と平行に形成されている。
【０１６２】
また前向パネル３Ｂは、中央傾斜面３ＢＱの右下端部（すなわち、下側中間傾斜面３ＢＴとの境界部分の右寄り）に、カード挿入排出口９を形成するための略長方形状の開口部３ＢＷが預払機左右方向と平行に形成されている。
【０１６３】
因みに、以下の説明では、前向パネル３Ｂの中央傾斜面３ＢＱに形成された、通帳挿入排出口８形成用の開口部３ＢＶを、通帳口形成用開口部３ＢＶとも呼び、カード挿入排出口９形成用の開口部３ＢＷを、カード口形成用開口部３ＢＷとも呼ぶ。
【０１６４】
通帳口形成用開口部３ＢＶは、その横幅（すなわち、預払機左右方向の長さ）が、カード口形成用開口部３ＢＷの横幅（すなわち、預払機左右方向の長さ）よりも長い所定長さに選定されている。
【０１６５】
また通帳口形成用開口部３ＢＶ及びカード口形成用開口部３ＢＷは、例えば、各々の縦幅（すなわち、預払機上下方向の長さ）が等しい所定長さに選定されている。
【０１６６】
そして前向パネル３Ｂには、通帳口形成用開口部３ＢＶ及びカード口形成用開口部３ＢＷを利用して、通帳２５及びカードを通帳挿入排出口８及びカード挿入排出口９に対する挿入排出用に一旦載せるためのステージ（以下、これを通帳カードステージとも呼ぶ）３０が設けられている。
【０１６７】
ここで、図６に示すように、通帳カードステージ３０は、例えば、預払機左右方向に長い略短冊状のステージ板３０Ａを有している。
【０１６８】
ステージ板３０Ａは、後端の左寄りに比較的幅の広い張出部（以下、これを左後張出部とも呼ぶ）３０ＡＸが設けられている。
【０１６９】
またステージ板３０Ａは、後端の右寄りに、左後張出部３０ＡＸよりも幅の狭い張出部（以下、これを右後張出部とも呼ぶ）３０ＡＹが設けられている。
【０１７０】
因みに、ステージ板３０Ａは、左後張出部３０ＡＸの左端部及び右端部に、それぞれ円弧状の左切欠き部３０ＡＳ及び右切欠き部３０ＡＴが形成されている。
【０１７１】
またステージ板３０Ａは、右後張出部３０ＡＹの左端部及び右端部にも、それぞれ円弧状の左切欠き部３０ＡＵ及び右切欠き部３０ＡＶが形成されている。
【０１７２】
さらにステージ板３０Ａは、下面側に断面略Ｗ字状のステージ支持板３０Ｂが、当該ステージ板３０Ａの左前隅部から右前隅部までに亘り、そのステージ支持板３０Ｂの前端を接合するようにして設けられている。
【０１７３】
係る構成の通帳カードステージ３０（図４及び図６）は、その横幅（すなわち、預払機左右方向の長さ）が、通帳口形成用開口部３ＢＶの左縁からカード口形成用開口部３ＢＷの右縁までの長さと等しい長さに選定されている。
【０１７４】
そして前向パネル３Ｂ（図４及び図５）は、中央傾斜面３ＢＱにおいて通帳口形成用開口部３ＢＶの下縁部に通帳カードステージ３０のステージ板３０Ａの左後張出部３０ＡＸが差し込まれると共に、カード口形成用開口部３ＢＷの下縁部に当該ステージ板３０Ａの右後張出部３０ＡＹが差し込まれている。
【０１７５】
また前向パネル３Ｂは、下側中間傾斜面３ＢＴの上端部に、通帳カードステージ３０のステージ支持板３０Ｂの後端が突き当てられている。
【０１７６】
このようにして前向パネル３Ｂは、通帳カードステージ３０が、ステージ板３０Ａの上面をほぼ水平にし、かつ通帳口形成用開口部３ＢＶの下縁部からカード口形成用開口部３ＢＷの下縁部までに亘り当該ステージ板３０Ａの前端部を中央傾斜面３ＢＱから前側に突出させて設けられている。
【０１７７】
また前向パネル３Ｂは、裏面において中央傾斜面３ＢＱの左端部の裏側となる位置に、通帳挿入排出口８の位置を通知するための通帳口通知部３５が設けられている。
【０１７８】
ここで、図７に示すように、通帳口通知部３５は、一面にＬＥＤ（Light  Emitting  Diode）のような複数の発光素子３６が所定の間隔で一列に実装された回路基板３７を有している。
【０１７９】
また通帳口通知部３５は、複数の発光素子３６が発射する白色や青色等のような所定の色の発射光を導光する導光部３８も有している。
【０１８０】
導光部３８は、例えば、所定の樹脂材により一体成形され、預払機左右方向に長い略短冊状の中央導光板３８Ａを有している。
【０１８１】
また導光部３８は、その中央導光板３８Ａの上面の後端部に、当該中央導光板３８Ａの長さと等しい長さを有する略短冊状の上導光板３８Ｂが、その長手方向を預払機左右方向と平行にして垂設されている。
【０１８２】
さらに導光部３８は、中央導光板３８Ａの下面３８ＡＸの左端部及び右端部に、当該中央導光板３８Ａの奥行きと等しい幅を有する所定長さの略短冊状の左導光板３８Ｃ及び右導光板３８Ｄが、その長手方向を預払機上下方向と平行にして垂設されている。
【０１８３】
これにより導光部３８は、中央導光板３８Ａの前端面と左導光板３８Ｃ及び右導光板３８Ｄの前端面とにより、後述するように通帳挿入排出口８の位置を通知するためのコ字状の発光面（以下、これを前向発光面とも呼ぶ）３８Ｅを形成している。
【０１８４】
また導光部３８は、左側面から右側面までの横幅が、通帳口形成用開口部３ＢＶの横幅と等しく選定されている。
【０１８５】
さらに導光部３８は、例えば、左導光板３８Ｃ及び右導光板３８Ｄの下端面から中央導光板３８Ａの上面までの高さが、通帳口形成用開口部３ＢＶの縦幅と等しく選定されている。
【０１８６】
そして前向パネル３Ｂ（図４及び図５）は、中央傾斜面３ＢＱの裏面に通帳口通知部３５の導光部３８が、上導光板３８Ｂの前面から中央導光板３８Ａの上面までを中央傾斜面３ＢＱの裏面から通帳口形成用開口部３ＢＶの上縁までに当接させて、前向発光面３８Ｅを通帳口形成用開口部３ＢＶの左縁、上縁及び右縁に沿わせて設けられている。
【０１８７】
すなわち、前向パネル３Ｂは、中央傾斜面３ＢＱの裏面に導光部３８が、その前向発光面３８Ｅを通帳口形成用開口部３ＢＶの左縁、上縁及び右縁に沿わせて中央傾斜面３ＢＱと面一にした状態で露出させて設けられている。
【０１８８】
これにより前向パネル３Ｂは、中央傾斜面３ＢＱの左下端部に、ステージ板３０Ａの上面の左端部、及び導光部３８のコ字状の前向発光面３８Ｅにより、通帳口形成用開口部３ＢＶよりも一回り小さい通帳挿入排出口８が形成されている。
【０１８９】
因みに、通帳挿入排出口８は、通帳２５を極力挿入し易くするために、その横幅が通帳横幅よりも長い所定長さに選定されると共に、縦幅が例えば、閉じた状態の通帳２５を２、３冊重ねた場合の全体の厚みに相当するような所定長さに選定されている。
【０１９０】
ところで、前向パネル３Ｂは、中央傾斜面３ＢＱの裏面に通帳口通知部３５の回路基板３７が、複数の発光素子３６の並びの方向を預払機左右方向と平行にし、かつ当該複数の発光素子３６の発射面を導光部３８の上導光板３８Ｂの後面の上端部と近接させて設けられている。
【０１９１】
よって導光部３８は、複数の発光素子３６によりそれぞれ発射面から発射された発射光を上導光板３８Ｂの後面の上端部から内部に取り込むことができる。
【０１９２】
そして導光部３８は、上導光板３８Ｂの後面の上端部から内部に取り込んだ発射光を、コ字状の前向発光面３８Ｅ側へ導光するように形成されている。
【０１９３】
例えば、図８（Ａ）及び（Ｂ）に示すように、導光部３８において上導光板３８Ｂは、上端面３８ＢＸが、前斜め上側を向く傾斜面として形成されている。因みに、以下の説明では、上導光板３８Ｂの上端面３８ＢＸを、上傾斜面３８ＢＸとも呼ぶ。
【０１９４】
そして上導光板３８Ｂは、上傾斜面３８ＢＸに、発射光を下側に乱反射させるための微小な凹凸が形成されている。
【０１９５】
また導光部３８において中央導光板３８Ａは、後下端部（すなわち、左導光板３８Ｃ及び右導光板３８Ｄの内面間の後下端部）に、後斜め下側を向く傾斜面（以下、これを中央傾斜面とも呼ぶ）３８ＡＹが形成されている。
【０１９６】
そして中央導光板３８Ａは、中央傾斜面３８ＡＹに、発射光を前側に乱反射させるための微小な凹凸が形成されている。
【０１９７】
さらに導光部３８において左導光板３８Ｃは、後下端部に、それぞれ後斜め下側を向くものの、長さ及び傾斜角度の異なる２つの傾斜面３８ＣＸ、３８ＣＹが連続的に形成されている。
【０１９８】
因みに、以下の説明では、左導光板３８Ｃの後下端部に形成された２つの傾斜面３８ＣＸ、３８ＣＹのうち上寄りの比較的長い傾斜面３８ＣＸを、第１左傾斜面３８ＣＸとも呼び、下寄りの比較的短い傾斜面３８ＣＹを、第２左傾斜面３８ＣＹとも呼ぶ。
【０１９９】
そして左導光板３８Ｃは、第１左傾斜面３８ＣＸ及び第２左傾斜面３８ＣＹに、それぞれ発射光を前側に乱反射させるための微小な凹凸が形成されている。
【０２００】
さらに導光部３８において右導光板３８Ｄも、左導光板３８Ｃと同様に後下端部に、それぞれ後斜め下側を向くものの、長さ及び傾斜角度の異なる２つの傾斜面３８ＤＸ、３８ＤＹが連続的に形成されている。
【０２０１】
因みに、以下の説明では、右導光板３８Ｄの後下端部に形成された２つの傾斜面３８ＤＸ、３８ＤＹのうち上寄りの比較的長い傾斜面３８ＤＸを、第１右傾斜面３８ＤＸとも呼び、下寄りの比較的短い傾斜面３８ＤＹを、第２右傾斜面３８ＤＹとも呼ぶ。
【０２０２】
そして右導光板３８Ｄは、第１右傾斜面３８ＤＸ及び第２右傾斜面３８ＤＹに、それぞれ発射光を前側に乱反射させるための微小な凹凸が形成されている。
【０２０３】
これに加えて導光部３８は、コ字状の前向発光面３８Ｅ（すなわち、中央導光板３８Ａの前端面並びに左導光板３８Ｃ及び右導光板３８Ｄの前端面）全体に、発射光を乱反射させて当該前向発光面３８Ｅを面発光させるための微小な凹凸が形成されている。
【０２０４】
さらに導光部３８において中央導光板３８Ａは、下面３８ＡＸ（すなわち、中央導光板３８Ａの下前寄りの面）に、発射光を乱反射させて当該下面を面発光させるための微小な凹凸が形成されている。
【０２０５】
因みに、以下の説明では、導光部３８において中央導光板３８Ａの下面３８ＡＸを、下向発光面３８ＡＸとも呼ぶ。
【０２０６】
そして制御ユニット２０は、入金時や出金時に操作画像を介して顧客に通帳挿入排出口８への通帳２５の挿入を促す際や通帳挿入排出口８から排出する通帳２５の受け取りを促す際、係る構成の通帳口通知部３５において回路基板３７上の複数の発光素子３６を制御して例えば、当該複数の発光素子３６にそれぞれ発射光を連続的に発射させる。
【０２０７】
この際、通帳口通知部３５において導光部３８は、複数の発光素子３６から発射された発射光を上導光板３８Ｂの後面の上端部から内部に取り込む。
【０２０８】
そして導光部３８は、内部に取り込んだ複数の発射光のうち一部を、上傾斜面３８ＢＸ及び中央傾斜面３８ＡＹ等で順次反射させるようにして中央導光板３８Ａの前端面及び下向発光面３８ＡＸへ導光する。
【０２０９】
また導光部３８は、内部に取り込んだ複数の発射光のうち一部を、上傾斜面３８ＢＸ、第１左傾斜面３８ＣＸ及び第２左傾斜面３８ＣＹ等で順次反射させるようにして左導光板３８Ｃの前端面へ導光する。
【０２１０】
さらに導光部３８は、内部に取り込んだ複数の発射光のうち一部を、上傾斜面３８ＢＸ、第１右傾斜面３８ＤＸ及び第２右傾斜面３８ＤＹ等で順次反射させるようにして右導光板３８Ｄの前端面へ導光する。
【０２１１】
これにより図９に示すように、導光部３８は、コ字状の前向発光面３８Ｅ全体を、ほぼ均一、かつ連続的に面発光させることができる。
【０２１２】
そして通帳口通知部３５は、導光部３８のコ字状の前向発光面３８Ｅにより、通帳挿入排出口８の左縁、上縁及び右縁を形作っている。
【０２１３】
よって通帳口通知部３５は、このように制御ユニット２０が顧客に通帳挿入排出口８への通帳２５の挿入を促す際や通帳挿入排出口８から排出する通帳２５の受け取りを促す際に前向発光面３８Ｅを面発光させることで、その発光により顧客に通帳挿入排出口８の位置を通知することができる。
【０２１４】
ところで、通帳口通知部３５において導光部３８は、下向発光面３８ＡＸに、上述した乱反射用の微小な凹凸が、前向発光面３８Ｅの微小な凹凸とは異なるパターンで形成されている。
【０２１５】
よって導光部３８は、下向発光面３８ＡＸまで発射光を導光すると、その発射光の一部を下向発光面３８ＡＸで乱反射させて内部に留めるものの、残りの一部を乱反射させずに下向発光面３８ＡＸを透過（すなわち、下向発光面３８ＡＸから出射）させている。
【０２１６】
すなわち、導光部３８は、コ字状の前向発光面３８Ｅを面発光させた際、下向発光面３８ＡＸもほぼ均一、かつ連続的に面発光させると共に、発射光の一部を当該下向発光面３８ＡＸの下側へ透過（すなわち、出射）させている。
【０２１７】
そして導光部３８は、この際、ステージ板３０Ａの上面に通帳２５が載っていないと、その発射光を、ステージ板３０Ａの上面において例えば、下向発光面３８ＡＸの前斜め下から後斜め下までの所定範囲ＲＡに連続的に照射する。
【０２１８】
因みに、以下の説明では、ステージ板３０Ａの上面において中央導光板３８Ａの下向発光面３８ＡＸを透過した発射光が照射される所定範囲ＲＡを、ステージ照射範囲ＲＡとも呼ぶ。
【０２１９】
よって通帳口通知部３５は、通帳挿入排出口８に通帳２５が載っていないと、下向発光面３８ＡＸの面発光と、当該下向発光面３８ＡＸを透過した発射光とにより通帳挿入排出口８内を照明することができる。
【０２２０】
従って通帳口通知部３５は、通帳挿入排出口８への通帳２５の挿入時、当該通帳挿入排出口８へ通帳２５が挿入されるまでの間は、前向発光面３８Ｅを面発光させると共に、通帳挿入排出口８内を照明することで、通帳２５を挿入すべき通帳挿入排出口８を、さらに的確に通知することができる。
【０２２１】
また通帳口通知部３５は、通帳挿入排出口８へ通帳２５が挿入されるまでの間、ステージ板３０Ａの上面で照明しているステージ照射範囲ＲＡが当該通帳挿入排出口８の手前側にまで及ぶことで、当該ステージ板３０Ａの上面において、通帳２５を挿入用に載せるべき位置までも的確に通知することができる。
【０２２２】
これに対し導光部３８は、下向発光面３８ＡＸを発射光が透過した場合、ステージ板３０Ａの上面に通帳２５が開かれた状態で載っていると、その発射光を、その通帳２５の見開きにおいて例えば、下向発光面３８ＡＸの前斜め下から後斜め下までの所定範囲に連続的に照射する。
【０２２３】
因みに、以下の説明では、通帳２５の見開きにおいて中央導光板３８Ａの下向発光面３８ＡＸを透過した発射光が照射される所定範囲を、通帳照射範囲とも呼ぶ。
【０２２４】
よって通帳口通知部３５は、ステージ板３０Ａの上面に通帳２５が載っていると、下向発光面３８ＡＸの面発光と、当該下向発光面３８ＡＸを透過した発射光とにより通帳挿入排出口８内と共に通帳２５の見開きの通帳照射範囲とを照明することができる。
【０２２５】
従って通帳口通知部３５は、例えば、通帳挿入排出口８への通帳２５の挿入時、ステージ板３０Ａの上面に通帳２５が載せられた際や通帳挿入排出口８へ通帳２５が挿入されている間は、前向発光面３８Ｅを面発光させると共に、通帳挿入排出口８内及び通帳２５の通帳照射範囲を照明することで、通帳２５を挿入しようとしている口や挿入している口が通帳挿入排出口８であることを確認させることができる。
【０２２６】
また通帳口通知部３５は、ステージ板３０Ａの上面に通帳２５が載せられた際や通帳挿入排出口８へ通帳２５が挿入されている間は、通帳２５の見開きで照明している通帳照射範囲が通帳挿入排出口８の手前側にまで及ぶことで、当該見開きの視認性を向上させて、その見開きが記帳用に開くべき頁であるか否かを確認させ易くすることができる。
【０２２７】
さらに通帳口通知部３５は、例えば、通帳挿入排出口８からの通帳２５の排出時、ステージ板３０Ａの上面に通帳２５が載っている間は、前向発光面３８Ｅを面発光させると共に、通帳挿入排出口８内と共に通帳２５の通帳照射範囲を照明することで、その通帳２５を受け取るべき口が通帳挿入排出口８であることを確認させることができる。
【０２２８】
このようにして通帳口通知部３５は、顧客により通帳挿入排出口８へ通帳２５が挿入れる際、その顧客に通帳挿入排出口８の位置やステージ板３０Ａ上で通帳２５の表表紙２６Ａの先端部を載せるべき位置を教えるようにして、当該通帳挿入排出口８に対する通帳２５の挿入をガイドすることができる。
【０２２９】
また通帳口通知部３５は、顧客により通帳挿入排出口８から排出される通帳２５が受け取られる際、その顧客に通帳挿入排出口８の位置を教えるようにして、当該通帳挿入排出口８から排出される通帳２５の受け取りもガイドすることができる。
【０２３０】
これに加えて前向パネル３Ｂの裏面には、通帳挿入排出口８の奥側に、ステージ板３０Ａの左後張出部３０ＡＸと共に通帳挿入排出通路４０を形成するための通路左側板４１、通路右側板４２及び略短冊状の通路上板４３が設けられている。
【０２３１】
通路左側板４１は、例えば、板材により平板状の一端部に対し他端部を円弧状に折り返すようにして形成されている。
【０２３２】
また通路右側板４２も、通路左側板４１と同様に、例えば、板材により平板状の一端部に対し他端部を円弧状に折り返すようにして形成されている。
【０２３３】
さらに通路上板４３は、例えば、左端部に通路左側板４１の他端部の形状に対応する円弧状の左切欠き部が形成される共に、右端部に通路右側板４２の他端部の形状に対応する円弧状の右切欠き部が形成されている。
【０２３４】
そして通路左側板４１は、前向パネル３Ｂの裏面に対し、一端部及び他端部の境界部分である屈曲部分を前側に位置させた状態で当該一端部を導光部３８の左導光板３８Ｃの内面の僅かに後寄りに当接させ、かつ他端部の下端寄りをステージ板３０Ａの左後張出部３０ＡＸの左切欠き部３０ＡＳに嵌合させて設けられている。
【０２３５】
また通路右側板４２は、前向パネル３Ｂの裏面に対し、一端部及び他端部の境界部分である屈曲部分を前側に位置させた状態で当該一端部を導光部３８の右導光板３８Ｄの内面の僅かに後寄りに当接させ、かつ他端部の下端寄りをステージ板３０Ａの左後張出部３０ＡＸの右切欠き部３０ＡＴに嵌合させて設けられている。
【０２３６】
さらに通路上板４３は、前向パネル３Ｂの裏面に対し、前端を導光部３８の中央導光板３８Ａの後端部に近接させ、かつ後端を中央導光板３８Ａの高さ位置よりも下側にした前斜め上方向と平行な傾斜姿勢で、左切欠き部に通路左側板４１の他端部の上端寄りを嵌合させ、かつ右切欠き部に通路右側板４２の他端部の上端寄りを嵌合させて設けられている。
【０２３７】
このようにして通帳挿入排出口８の奥側には、ステージ板３０Ａの左後張出部３０ＡＸと共に通路左側板４１、通路右側板４２及び通路上板４３により通帳挿入排出通路４０が、手前から奥へ徐々に横幅及び縦幅を狭めるように形成されている。
【０２３８】
すなわち、通帳挿入排出口８は、上述のように横幅が通帳横幅よりも広く、かつ縦幅が閉じた状態の通帳２５一冊分の厚みよりも長く選定されている。
【０２３９】
このため通帳挿入排出口８には、開いた状態の通帳２５が表表紙２６Ａ側から、常に同一の挿入位置や同一の挿入姿勢等で挿入されるとは限らない。
【０２４０】
よって通帳挿入排出通路４０は、通帳挿入排出口８に挿入される通帳２５を、その通帳挿入排出口８に対する挿入位置や挿入姿勢等を適宜修正して通帳処理ユニット１５に的確に取り込ませることが可能なように、手前から奥へ徐々に横幅及び縦幅を狭めるように形成されている。
【０２４１】
これにより通帳挿入排出通路４０は、例えば、通帳挿入排出口８の左縁寄りや右縁寄りに通帳２５が挿入されるような場合でも、通路左側板４１及び通路右側板４２により通帳２５を通帳挿入排出口８の中央部を通すようにして挿入させることができる。
【０２４２】
また通帳挿入排出通路４０は、例えば、通帳挿入排出口８に挿入される通帳２５の表側中紙２７Ａの先端部や表表紙２６Ａの先端部が浮き上がるような場合でも、通路上板４３により当該表側中紙２７Ａの先端部や表表紙２６Ａの先端部を押え込むことができる。
【０２４３】
因みに、図１０に示すように、通帳処理ユニット１５は、通帳取込繰出位置付近に、上述した搬送路を形成するための例えば、板状の上搬送ガイド５０及び下搬送ガイド５１が対向配置されている。
【０２４４】
上搬送ガイド５０は、例えば、先端が櫛歯状に形成されており、その先端を、通路上板４３において櫛歯状に形成された後端と嵌合させている。
【０２４５】
これにより上搬送ガイド５０は、通路上板４３に、あたかも当該通路上板を後側に延長したように接続されている。
【０２４６】
また下搬送ガイド５１は、例えば、先端が櫛歯状に形成されており、その先端を、ステージ板３０Ａの左後張出部３０ＡＸにおいて櫛歯状に形成された後端と嵌合させている。
【０２４７】
これにより下搬送ガイド５１は、ステージ板３０Ａの左後張出部３０ＡＸに、あたかも、その左後張出部３０ＡＸを後側に延長したように接続されている。
【０２４８】
さらに通帳処理ユニット１５は、通帳取込繰出位置付近に、通帳２５を取込繰出用に搬送するための上搬送ローラ５２が、その一部を上搬送ガイド５０の対応する孔部を介して搬送路に入り込ませた状態で回動可能に設けられている。
【０２４９】
また通帳処理ユニット１５は、通帳取込繰出位置付近に、通帳２５を取込繰出用に搬送するための下搬送ローラ５３が、その一部を下搬送ガイド５１の対応する孔部を介して搬送路に入り込ませて上搬送ローラ５２と接触させた状態で回動可能に設けられている。
【０２５０】
よって通帳処理ユニット１５は、顧客によって通帳２５が開いた状態で表表紙２６Ａ側から通帳挿入排出口８に挿入された場合、当該通帳２５を開いた状態のまま、互いに逆回転させている上搬送ローラ５２及び下搬送ローラ５３の間に挟み込みながら顧客情報読取部側へ送り出すようにして取り込むことができる。
【０２５１】
また通帳処理ユニット１５は、顧客情報読取部から通帳２５を開いた状態で裏表紙２６Ｂを前にして通帳取込繰出位置側へ搬送した場合、その通帳２５を開いた状態のまま、互いに逆回転させている上搬送ローラ５２及び下搬送ローラ５３の間に挟み込みながら通帳挿入排出通路４０側へ繰り出す。
【０２５２】
これにより通帳処理ユニット１５は、その通帳２５を開いた状態で裏表紙２６Ｂ側から通帳挿入排出通路４０及び通帳挿入排出口８を順次介して排出するようにして顧客に受け取らせることができる。
【０２５３】
一方、前向パネル３Ｂ（図５）は、裏面において中央傾斜面３ＢＱの右端部の裏側となる位置に、通帳口通知部３５の回路基板３７及び導光部３８とほぼ同様構成の回路基板（図示せず）及び導光部５５を有するカード口通知部が設けられている。
【０２５４】
カード口通知部の導光部５５は、その横幅（すなわち、預払機左右方向の長さ）が、通帳口通知部３５の導光部３８の横幅よりも短いカード口形成用開口部３ＢＷの横幅と等しい所定長さに選定されていることを除いて、当該通帳口通知部３５の導光部３８と同様に構成されている。
【０２５５】
またカード口通知部の回路基板は、導光部５５の横幅に応じて、通帳口通知部３５の回路基板３７に比して横幅が短く、かつ一面に実装される発光素子の個数が少ないことを除いて、当該通帳口通知部３５の回路基板３７と同様に構成されている。
【０２５６】
そして前向パネル３Ｂ（図４及び図５）は、中央傾斜面３ＢＱの裏面にカード口通知部の導光部５５が、上導光板の前面から中央導光板の上面までを中央傾斜面３ＢＱの裏面からカード口形成用開口部３ＢＷの上縁までに当接させて、前向発光面５５Ａを当該カード口形成用開口部３ＢＷの左縁、上縁及び右縁に沿わせて設けられている。
【０２５７】
すなわち、前向パネル３Ｂは、中央傾斜面３ＢＱの裏面に導光部５５が、その前向発光面５５Ａをカード口形成用開口部３ＢＷの左縁、上縁及び右縁に沿わせて中央傾斜面３ＢＱと面一にした状態で露出させて設けられている。
【０２５８】
これにより前向パネル３Ｂは、中央傾斜面３ＢＱの左下端部に、ステージ板３０Ａの上面の右端部、及び導光部５５のコ字状の前向発光面５５Ａにより、カード口形成用開口部３ＢＷよりも一回り小さいカード挿入排出口９が形成されている。
【０２５９】
因みに、カード挿入排出口９は、カードを極力挿入し易くするために、その横幅がカードの横幅よりも長い所定長さに選定されると共に、縦幅が例えば、通帳挿入排出口８の縦幅と等しい所定長さ（すなわち、カードを２、３枚重ねた場合の全体の厚みに相当するような所定長さ）に選定されている。
【０２６０】
ところで、前向パネル３Ｂは、中央傾斜面３ＢＱの裏面にカード口通知部の回路基板が、複数の発光素子の並びの方向を預払機左右方向と平行にし、かつ当該複数の発光素子の発射面を導光部５５の上導光板の後面の上端部と近接させて設けられている。
【０２６１】
よって導光部５５は、複数の発光素子によりそれぞれ発射面から発射された発射光を上導光板の後面の上端部から内部に取り込むことができる。
【０２６２】
そしてカード口通知部は、上述した通帳口通知部３５の場合と同様に、制御ユニット２０が顧客にカード挿入排出口９へのカードの挿入を促す際やカード挿入排出口９から排出するカードの受け取りを促す際、その制御ユニット２０の制御のもと複数の発光素子からそれぞれ発射光を発射させる。
【０２６３】
これによりカード口通知部は、通帳口通知部３５の場合と同様に、コ字状の前向発光面５５Ａ及び下向発光面を面発光させると共に、カード挿入排出口９内やカードの表面の所定範囲を照明することができる。
【０２６４】
従ってカード口通知部は、例えば、カード挿入排出口９へのカードの挿入時、当該カード挿入排出口９へカードが挿入されるまでの間は、前向発光面５５Ａを面発光させると共に、カード挿入排出口９内を照明することにより、カードを挿入すべきカード挿入排出口９を的確に通知することができる。
【０２６５】
またカード口通知部は、この際、ステージ板３０Ａの上面で照明している所定範囲がカード挿入排出口９の手前側にまで及ぶことで、当該ステージ板３０Ａの上面においてカードを挿入用に載せるべき位置までも的確に通知することができる。
【０２６６】
さらにカード口通知部は、例えば、カード挿入排出口９へのカードの挿入時、ステージ板３０Ａの上面にカードが載せられた際やカード挿入排出口９へカードが挿入されている間は、前向発光面５５Ａを面発光させると共に、カード挿入排出口９内とカードの表面の所定範囲とを照明することで、そのカードを挿入しようとしている口や挿入している口がカード挿入排出口９であることを確認させることができる。
【０２６７】
さらにカード口通知部は、この際、カードの表面で照明している所定範囲がカード挿入排出口９の手前側にまで及ぶことで、その表面の視認性を向上させて、カードの表面を上に向けているか否かを確認させ易くすることができる。
【０２６８】
さらにカード口通知部は、例えば、カード挿入排出口９からのカードの排出時、ステージ板３０Ａの上面にカードが載っている間は、前向発光面５５Ａを面発光させると共に、カード挿入排出口９内とカードの表面の所定範囲とを照明することにより、そのカードを受け取るべき口がカード挿入排出口９であることを確認させることができる。
【０２６９】
このようにしてカード口通知部は、顧客によりカード挿入排出口９へカードが挿入れる際、その顧客にカード挿入排出口９の位置やステージ板３０Ａ上でカードの一端部を載せるべき位置を教えるようにして、当該カード挿入排出口９に対するカードの挿入をガイドすることができる。
【０２７０】
またカード口通知部は、顧客によりカード挿入排出口９から排出されるカードが受け取られる際、その顧客にカード挿入排出口９の位置を教えるようにして、当該カード挿入排出口９から排出されるカードの受け取りもガイドすることができる。
【０２７１】
これに加えて前向パネル３Ｂの裏面には、カード挿入排出口９の奥側に、ステージ板３０Ａの右後張出部３０ＡＹと共にカード挿入排出通路を形成するための通路左側板５６、通路右側板５７及び通路上板（図示せず）が設けられている。
【０２７２】
通路左側板５６及び通路右側板５７は、例えば、通帳挿入排出通路４０を形成する通路左側板４１及び通路右側板４２と同様に構成されている。
【０２７３】
また通路上板は、例えば、通帳挿入排出通路４０を形成する通路上板４３と横幅が異なるだけで同様に構成されている。
【０２７４】
よってカード挿入排出口９の奥側には、ステージ板３０Ａの右後張出部３０ＡＹと共に通路左側板５６、通路右側板５７及び通路上板により、通帳挿入排出通路４０と同様にカード挿入排出通路が手前から奥へ徐々に横幅及び縦幅を狭めるように形成されている。
【０２７５】
すなわち、カード挿入排出口９は、上述のように横幅がカードの横幅よりも広く、かつ縦幅がカード１枚分の厚みよりも長く選定されている。
【０２７６】
このためカード挿入排出口９には、カードが、その長手方向の一端側から、常に同一の挿入位置や同一の挿入姿勢等で挿入されるとは限らない。
【０２７７】
よってカード挿入排出通路は、カード挿入排出口９に挿入されるカードを、そのカード挿入排出口９に対する挿入位置や挿入姿勢等を適宜修正してカード処理ユニット１６に的確に取り込ませることが可能なように、手前から奥へ徐々に横幅及び縦幅を狭めるように形成されている。
【０２７８】
これによりカード挿入排出通路は、例えば、カード挿入排出口９の左縁寄りや右縁寄りにカードが挿入されるような場合でも、通路左側板５６及び通路右側板５７によりカードをカード挿入排出口９の中央部を通すようにして挿入させることができる。
【０２７９】
またカード挿入排出通路は、例えば、カード挿入排出口９に挿入されるカードの一端側が浮き上がるような場合でも、通路上板により当該一端側を押え込むことができる。
【０２８０】
係る構成に加えて、このフロントパネル３（図４及び図５）の場合、硬貨投入取出口３ＡＸ及び紙幣投入取出口３ＡＹは、例えば、その奥行き（すなわち、前縁から後縁までの長さ）がほぼ等しい所定長さに選定されている。
【０２８１】
また硬貨投入取出口３ＡＸの横幅（すなわち、左縁から右縁までの長さ）は、紙幣投入取出口３ＡＹの横幅（すなわち、左縁から右縁までの長さ）よりも短い所定長さに選定されている。
【０２８２】
そして上向パネル３Ａは、その表面に硬貨投入取出口３ＡＸ及び紙幣投入取出口３ＡＹが、互いの中心を預払機左右方向と平行な同一の仮想線上に位置させ、かつ所定距離だけ離すようにして形成されている。
【０２８３】
ただし、上向パネル３Ａの表面に対する硬貨投入取出口３ＡＸ及び紙幣投入取出口３ＡＹの預払機前後方向の形成位置は、当該硬貨投入取出口３ＡＸ及び紙幣投入取出口３ＡＹのほぼ全体を、前向パネル３Ｂの下側中間傾斜面３ＢＴの真下よりも前側に位置させるように選定されている。
【０２８４】
また上向パネル３Ａの表面に対する硬貨投入取出口３ＡＸの預払機左右方向の形成位置は、当該硬貨投入取出口３ＡＸの右縁を、上向パネル３Ａの表面における預払機左右方向の中央位置から左側へ所定距離だけずらすように選定されている。
【０２８５】
因みに、以下の説明では、上向パネル３Ａの表面における預払機左右方向の中央位置を、上向パネル横幅中央位置とも呼ぶ。
【０２８６】
さらに上向パネル３Ａの表面に対する紙幣投入取出口３ＡＹの預払機左右方向の形成位置は、当該紙幣投入取出口３ＡＹの左縁を、上向パネル横幅中央位置にほぼ一致させるように選定されている。
【０２８７】
すなわち、上向パネル３Ａの表面に対する硬貨投入取出口３ＡＸ及び紙幣投入取出口３ＡＹの預払機左右方向の形成位置は、互いの中心の間の中央位置（すなわち、硬貨投入取出口３ＡＸの中心から紙幣投入取出口３ＡＹの中心までの中央位置）を、上向パネル横幅中央位置から左側へ所定距離だけずらすように選定されている。
【０２８８】
因みに、以下の説明では、上向パネル３Ａの表面における硬貨投入取出口３ＡＸ及び紙幣投入取出口３ＡＹの互いの中心の間の中央位置を、投入取出口中心間位置とも呼ぶ。
【０２８９】
一方、通帳挿入排出口８は、その横幅が硬貨投入取出口３ＡＸの横幅よりも長い所定長さに選定されている。
【０２９０】
そして通帳挿入排出口８は、前向パネル３Ｂの中央傾斜面３ＢＱに、当該通帳挿入排出口８の左端部を硬貨投入取出口３ＡＸの後斜め上側に位置させ、かつ右端部を上向パネル３Ａの表面における硬貨投入取出口３ＡＸ及び紙幣投入取出口３ＡＹ間の部分の後斜め上側に位置させるようにして形成されている。
【０２９１】
因みに、以下の説明では、上向パネル３Ａの表面において硬貨投入取出口３ＡＸ及び紙幣投入取出口３ＡＹ間の部分を、投入取出口間部分とも呼ぶ。
【０２９２】
またカード挿入排出口９は、その横幅が通帳挿入排出口８の横幅よりも短く、また紙幣投入取出口３ＡＹの横幅よりも短い所定長さに選定されている。
【０２９３】
そしてカード挿入排出口９は、前向パネル３Ｂの中央傾斜面３ＢＱに、当該カード挿入排出口９の左端部を紙幣投入取出口３ＡＹの後縁の右寄りの部分の後斜め上側に位置させ、右端部を上向パネル３Ａの表面における紙幣投入取出口３ＡＹの右隣の部分の後斜め上側に位置させるようにして形成されている。
【０２９４】
すなわち、前向パネル３Ｂの中央傾斜面３ＢＱに対する通帳挿入排出口８及びカード挿入排出口９の預払機左右方向の形成位置は、当該通帳挿入排出口８及びカード挿入排出口９間の中央位置（すなわち、通帳挿入排出口８の右縁からカード挿入排出口９の左縁までの間の中央位置）が、上向パネル横幅中央位置の右斜め上側となるように選定されている。
【０２９５】
因みに、以下の説明では、前向パネル３Ｂの中央傾斜面３ＢＱにおける通帳挿入排出口８及びカード挿入排出口９間の中央位置を、挿入排出口間中央位置とも呼ぶ。
【０２９６】
そのうえで前向パネル３Ｂは、上部傾斜面３ＢＰの裏面の下端部において上向パネル３Ａの表面の投入取出口中心間位置の後斜め上側となる位置に１個のカメラ６０が、撮影レンズの光軸を後斜め上方向と平行にして当該撮影レンズを、上側中間傾斜面３ＢＳに穿設された撮影用孔部３ＢＸを介して上向パネル３Ａの表面の後端部に向けた姿勢で配置されている。
【０２９７】
すなわち、フロントパネル３の前向パネル３Ｂは、通帳カードステージ３０と通帳挿入排出口８及びカード挿入排出口９との上側となる上部傾斜面３ＢＰの裏面に１個のカメラ６０が、少なくとも硬貨投入取出口３ＡＸの中央部から紙幣投入取出口３ＡＹの中央部までの撮影範囲を撮影可能なように配置されている。
【０２９８】
そして通帳カードステージ３０は、ステージ板３０Ａの前端部において、カメラ６０により上向パネル３Ａの表面の撮影範囲の中で硬貨投入取出口３ＡＸの中央部を撮影するための撮影光の光路に対応する部分が、通帳挿入排出口８の下縁の左寄りの部分から突出している左前端部になる。
【０２９９】
また通帳カードステージ３０では、ステージ板３０Ａの前端部において、カメラ６０により上向パネル３Ａの表面の撮影範囲の中で紙幣投入取出口３ＡＹの中央部を撮影するための撮影光の光路に対応する部分が、カード挿入排出口９の下縁全体から突出している右前端部になる。
【０３００】
このため通帳カードステージ３０は、ステージ板３０Ａの左前端部及び右前端部の突出長さが、カメラ６０による硬貨投入取出口３ＡＸの中央部と紙幣投入取出口３ＡＹの中央部との撮影（すなわち、撮影光の光路）を遮らないように比較的短い所定長さに選定されている。
【０３０１】
因みに、通帳カードステージ３０のステージ板３０Ａにおいて、左前端部及び右前端部の突出長さは、当該左前端部及び右前端部の前端から前向パネル３Ｂの中央傾斜面３ＢＱまでの預払機前後方向の長さである。
【０３０２】
これにより通帳カードステージ３０は、カメラ６０による硬貨投入取出口３ＡＸの中央部と、紙幣投入取出口３ＡＹの中央部との撮影を可能にしている。
【０３０３】
よって制御ユニット２０は、例えば、現金の出金時、カメラ６０により硬貨投入取出口３ＡＸの中央部及び紙幣投入取出口３ＡＹの中央部を撮影するようにして撮影画像データを生成し、当該生成した撮影画像データを記憶しておくことができる。
【０３０４】
そして制御ユニット２０は、必要に応じて、その撮影画像データに基づく撮影画像により、現金の出金時に硬貨投入取出口３ＡＸ及び紙幣投入取出口３ＡＹに手が差し入れられて出金用の硬貨及び紙幣が取り出されていたか否かを確認可能にしている。
【０３０５】
このようにして現金自動預払機１では、例えば、出金用の現金（すなわち、硬貨や紙幣）を取り忘れたと偽り不当に取得するような犯罪を防止し得るようにしている。
【０３０６】
ところで、現金自動預払機１には、このような出金用の現金を不当に取得するような犯罪を防止するために１個のカメラ６０が、上述のように上向パネル３Ａの表面において、少なくとも硬貨投入取出口３ＡＸの中央部から紙幣投入取出口３ＡＹの中央部までの撮影範囲を撮影可能なように配置されている。
【０３０７】
ただし、現金自動預払機１では、このような犯罪を防止するためには、カメラ６０により、その上向パネル３Ａの表面の撮影範囲の中でも、特に硬貨投入取出口３ＡＸの中央部及び紙幣投入取出口３ＡＹの中央部のみを撮影し得れば良い。
【０３０８】
言い換えれば、現金自動預払機１では、カメラ６０により、その上向パネル３Ａの表面の撮影範囲の中で硬貨投入取出口３ＡＸの中央部と紙幣投入取出口３ＡＹの中央部との間については特に撮影し得なくても、出金用の現金を不当に取得するような犯罪を防止するのに何ら支障はない。
【０３０９】
因みに、以下の説明では、上向パネル３Ａの表面において硬貨投入取出口３ＡＸの中央部と紙幣投入取出口３ＡＹの中央部との間（すなわち、硬貨投入取出口３ＡＸの右縁の内側から投入取出口間部分を介した紙幣投入取出口３ＡＹの左縁の内側まで）を、投入取出口中央部間とも呼ぶ。
【０３１０】
そして通帳カードステージ３０では、ステージ板３０Ａの前端部において、カメラ６０により上向パネル３Ａの表面の撮影範囲の中で投入取出口中央部間を撮影するための撮影光の光路に対応する部分が、通帳挿入排出口８の下縁の中央位置付近から挿入排出口間中央位置付近までに亘って通帳挿入排出口８及び中央傾斜面３ＢＱから突出している中央前端部になる。
【０３１１】
よって通帳カードステージ３０（図４及び図６）は、ステージ板３０Ａの中央前端部に、その突出長さを左前端部及び右前端部の突出長さよりも伸ばすように前側に張り出す略台形状の張出部（以下、これをステージ張出部とも呼ぶ）３０ＡＺが、その上面を中央前端部の上面と面一にして設けられている。
【０３１２】
すなわち、通帳カードステージ３０は、ステージ板３０Ａの中央前端部に、カメラ６０により投入取出口中央部間を撮影するための撮影光の光路の少なくとも一部を遮ってでも当該中央前端部の上面を広げるためのステージ張出部３０ＡＺが設けられている。
【０３１３】
因みに、通帳カードステージ３０のステージ板３０Ａにおいて中央前端部の突出長さは、ステージ張出部３０ＡＺの前端から前向パネル３Ｂの中央傾斜面３ＢＱまでの預払機前後方向の長さである。
【０３１４】
ここで、図１１に示すように、通帳２５は、綴じ部２５Ａの弾力が低下していると、通帳挿入排出口８への挿入用に任意の頁で開かれて裏表紙２６Ｂ及び裏側中紙２７Ｂが挟持された際、折れ癖や表表紙２６Ａ及び表側中紙２７Ａの自重により、裏表紙２６Ｂに対し表表紙２６Ａが１８０度の開き角度よりも大きな角度で折れ曲がるような場合がある。
【０３１５】
そして通帳２５は、このように任意の頁で開かれた際に裏表紙２６Ｂに対し表表紙２６Ａが折れ曲がっていると、当該表表紙２６Ａの先端が、最も後側の表側中紙２７Ａの先端から所定の先端差Ｌ１だけ前側に位置する。
【０３１６】
因みに、係る先端差Ｌ１は、表表紙２６Ａの先端の位置と、最も後側の表側中紙２７Ａの先端の位置との距離を、預払機前後方向と平行な仮想直線上に投影して見た場合のものである。
【０３１７】
このため通帳カードステージ３０は、ステージ板３０Ａの中央前端部の突出長さＬ２が、先端差Ｌ１よりも長い例えば、１５［ｍｍ］以上で、かつ硬貨投入取出口３ＡＸ及び紙幣投入取出口３ＡＹに対する硬貨及び紙幣の投入及び取出の邪魔にならない（ステージ張出部３０ＡＺに硬貨や紙幣の投入及び取出の際に手が接触しない）程度の長さに選定されている。
【０３１８】
このようにして通帳カードステージ３０は、ステージ板３０Ａの左前端部と中央前端部（すなわち、中央前端部の左寄りの部分）とを通帳挿入排出口８の下縁から前側に突出させると共に、当該通帳挿入排出口８から突出させている中央前端部の突出長さＬ２を先端差Ｌ１よりも長くしている。
【０３１９】
よって通帳カードステージ３０は、顧客により任意の頁で開かれた通帳２５が通帳挿入排出口８に前斜め上側から近づけられると、ステージ板３０Ａの上面に表表紙２６Ａの先端部を載せさせたうえで当該表表紙２６Ａに表側中紙２７Ａを重ねるように揃えさせることができる。
【０３２０】
また通帳カードステージ３０は、顧客によりステージ板３０Ａ上で通帳２５の表表紙２６Ａ及び表側中紙２７Ａを揃えられると、そのまま通帳２５を表表紙２６Ａ側からステージ板３０Ａの上面に沿わせるようにして通帳挿入排出口８に挿入させることができる。
【０３２１】
そして通帳カードステージ３０は、ステージ板３０Ａの中央前端部の突出長さＬ２を比較的長くしているため、任意の頁で開かれた通帳２５の裏表紙２６Ｂに対し表表紙２６Ａが１８０度の開き角度よりも大きな角度で折れ曲がっていても、当該ステージ板３０Ａの上面に通帳２５の表表紙２６Ａの先端部を確実に載せさせることができる。
【０３２２】
よって通帳カードステージ３０は、ステージ板３０Ａ上で通帳２５の表表紙２６Ａに表側中紙２７Ａを重ねるように揃えさせることができる。
【０３２３】
従って通帳カードステージ３０は、通帳挿入排出口８に任意の頁で開かれた通帳２５が表表紙２６Ａを折り返した状態で挿入されることを確実に防止することができる。
【０３２４】
すなわち、通帳カードステージ３０は、通帳挿入排出口８に任意の頁で開かれた通帳２５を表表紙２６Ａ側から挿入させ得るため、後段の通帳処理ユニット１５において当該通帳２５の磁気テープ２８から顧客情報を的確に読み取らせることができる。
【０３２５】
このようにして通帳カードステージ３０は、現金の入金時や出金時、顧客に通帳挿入排出口８に対する通帳２５の挿入を的確にガイドして、当該通帳挿入排出口８に通帳２５を挿入させ易くすることができる。
【０３２６】
因みに、通帳カードステージ３０は、顧客によりカードがカード挿入排出口９に前斜め上側から近づけられると、ステージ板３０Ａの上面に当該カードの一端部を載せさせることができる。
【０３２７】
そして通帳カードステージ３０は、顧客によりステージ板３０Ａ上にカードの一端部が載せられると、そのままカードを一端部側からステージ板３０Ａの上面に沿わせるようにしてカード挿入排出口９に挿入させることができる。
【０３２８】
このようにして通帳カードステージ３０は、現金の入金時や出金時、顧客にカード挿入排出口９に対するカードの挿入をガイドして、当該カード挿入排出口９にカードを挿入させ易くすることができる。
【０３２９】
（１−５）実施の形態の動作及び効果
以上の構成において、現金自動預払機１では、フロントパネル３において上向パネル３Ａの表面の後端部に、硬貨投入取出口３ＡＸ及び紙幣投入取出口３ＡＹを所定の間隔で左右に並べて形成するようにした。
【０３３０】
また現金自動預払機１では、フロントパネル３において硬貨投入取出口３ＡＸ及び紙幣投入取出口３ＡＹの上側となる前向パネル３Ｂの中央傾斜面３ＢＱに、通帳挿入排出口８及びカード挿入排出口９を所定の間隔で左右に並べて形成するようにした。
【０３３１】
さらに現金自動預払機１では、フロントパネル３において硬貨投入取出口３ＡＸ及び紙幣投入取出口３ＡＹの上側となる前向パネル３Ｂの中央傾斜面３ＢＱに、通帳カードステージ３０を通帳挿入排出口８及びカード挿入排出口９の下縁からステージ板３０Ａの前端部を預払機前方向へ突出させて設けるようにした。
【０３３２】
さらにまた現金自動預払機１では、フロントパネル３において通帳カードステージ３０の上側となる前向パネル３Ｂの上部傾斜面３ＢＰの裏面に１個のカメラ６０を、少なくとも硬貨投入取出口３ＡＸの中央部から紙幣投入取出口３ＡＹの中央部までの撮影範囲を撮影可能なように配置するようにした。
【０３３３】
そして現金自動預払機１では、通帳カードステージ３０のステージ板３０Ａの前端部を、カメラ６０による硬貨投入取出口３ＡＸの中央部及び紙幣投入取出口３ＡＹの中央部の撮影を遮らない突出長さにするものの、当該前端部の通帳挿入排出口８から突出している範囲内で突出長さを伸ばしてもカメラ６０による硬貨投入取出口３ＡＸの中央部及び紙幣投入取出口３ＡＹの中央部の撮影を遮らない箇所にはステージ張出部３０ＡＺを設けて突出長さを伸ばすようにした。
【０３３４】
従って現金自動預払機１は、現金の入金時や出金時、任意の頁で開かれた通帳２５が、裏表紙２６Ｂに対し表表紙２６Ａが１８０度の開き角度よりも大きな角度で折れ曲がった状態で通帳挿入排出口８に前斜め上側から近づけられても、通帳カードステージ３０のステージ板３０Ａの上面に当該通帳２５の表表紙２６Ａの先端部を確実に載せさせて表側中紙２７Ａと揃えさせることができる。
【０３３５】
このため現金自動預払機１は、通帳挿入排出口８に任意の頁で開かれた通帳２５が、表表紙２６Ａを裏表紙２６Ｂ側に折り返した状態で挿入されることを確実に防止することができる。
【０３３６】
以上の構成によれば、現金自動預払機１は、フロントパネル３において上向パネル３Ａの表面の後端部に硬貨投入取出口３ＡＸ及び紙幣投入取出口３ＡＹを所定の間隔で並べて形成すると共に、これらの上側となる前向パネル３Ｂの中央傾斜面３ＢＱに通帳挿入排出口８及びカード挿入排出口９を所定の間隔で並べて形成し、かつ通帳カードステージ３０を通帳挿入排出口８及びカード挿入排出口９の下縁からステージ板３０Ａの前端部を預払機前方向へ突出させて設け、さらにこれらの上側となる前向パネル３Ｂの上部傾斜面３ＢＰの裏面に１個のカメラ６０を、少なくとも硬貨投入取出口３ＡＸの中央部から紙幣投入取出口３ＡＹの中央部までの撮影範囲を撮影可能なように配置し、通帳カードステージ３０のステージ板３０Ａの前端部を、カメラ６０による硬貨投入取出口３ＡＸの中央部及び紙幣投入取出口３ＡＹの中央部の撮影を遮らない突出長さにするものの、当該前端部の通帳挿入排出口８から突出している範囲内で突出長さを伸ばしてもカメラ６０による硬貨投入取出口３ＡＸの中央部及び紙幣投入取出口３ＡＹの中央部の撮影を遮らない箇所にはステージ張出部３０ＡＺを設けて突出長さを伸ばすようにした。
【０３３７】
これにより現金自動預払機１は、現金の入金時や出金時、任意の頁で開かれた通帳２５が、裏表紙２６Ｂに対し表表紙２６Ａが１８０度の開き角度よりも大きな角度で折れ曲がった状態で通帳挿入排出口８に前斜め上側から近づけられても、通帳カードステージ３０のステージ板３０Ａ上に当該通帳２５の表表紙２６Ａの先端部を確実に載せさせて表側中紙２７Ａと揃えさせたうえで、その通帳２５を表表紙２６Ａ側から通帳挿入排出口８へ挿入させることができる。よって現金自動預払機１は、通帳挿入排出口８への通帳２５の挿入を的確にガイドすることができる。
【０３３８】
また現金自動預払機１は、通帳カードステージ３０においてステージ板３０Ａの前端部に略台形状のステージ張出部３０ＡＺを設けるようにした。
【０３３９】
従って現金自動預払機１は、通帳カードステージ３０のステージ板３０Ａの前端部に設けるステージ張出部３０ＡＺの横幅を、カメラ６０による硬貨投入取出口３ＡＸの中央部及び紙幣投入取出口３ＡＹの中央部の撮影を遮ることなく極力広げることができる。
【０３４０】
よって現金自動預払機１は、現金の入金時や出金時、任意の頁で開かれた通帳２５が、裏表紙２６Ｂに対し表表紙２６Ａが１８０度の開き角度よりも大きな角度で折れ曲がった状態で通帳挿入排出口８に前斜め上側から近づけられても、通帳カードステージ３０のステージ板３０Ａ上に当該通帳２５の表表紙２６Ａの先端部をさらに確実に載せさせることができる。
【０３４１】
さらに現金自動預払機１は、前向パネル３Ｂの表面において、通帳挿入排出口８及びカード挿入排出口９を形成すると共に、通帳カードステージ３０をステージ板３０Ａの上面をほぼ水平にして設ける部分を後斜め上方向と平行に傾斜する中央傾斜面３ＢＱとして形成するようにした。
【０３４２】
従って現金自動預払機１は、任意の頁で開かれた通帳２５が、裏表紙２６Ｂに対し表表紙２６Ａが１８０度の開き角度よりも大きな角度で折れ曲がった状態で通帳挿入排出口８に前斜め上側から近づけられた場合、表表紙２６Ａの先端部よりも後側に位置する表側中紙２７Ａの先端部を中央傾斜面３ＢＱに近接又は接触させるようにしてステージ板３０Ａの前端部の真上よりも後側に位置させて当該表表紙２６Ａの先端部を通帳挿入排出口８に極力近づけさせることができる。
【０３４３】
これにより現金自動預払機１は、通帳カードステージ３０のステージ板３０Ａの前端部にステージ張出部３０ＡＺを設けるようにして突出長さＬ２を伸ばすようにしても、そのステージ張出部３０ＡＺの奥行きを極力短くして、当該ステージ張出部３０ＡＺが硬貨投入取出口３ＡＸ及び紙幣投入取出口３ＡＹに対する硬貨及び紙幣の投入及び取出の邪魔になることを回避することができる。
【０３４４】
さらに現金自動預払機１は、通帳挿入排出口８に通帳口通知部３５を設け、当該通帳口通知部３５により通帳挿入排出口８の縁部（すなわち、左縁、上縁及び右縁）を発光させようにした。
【０３４５】
従って現金自動預払機１は、顧客により通帳挿入排出口８に通帳２５が挿入される際、当該顧客に通帳挿入排出口８の位置を確実に通知することができる。
【０３４６】
これに加えて現金自動預払機１は、通帳口通知部３５により通帳挿入排出口８内を照明するようにした。
【０３４７】
従って現金自動預払機１は、顧客により通帳挿入排出口８に通帳２５が挿入される際、当該顧客に通帳挿入排出口８の位置を、より確実に通知することができる。
【０３４８】
これにより現金自動預払機１は、通帳挿入排出口８への通帳２５の挿入を、さらに的確にガイドすることができる。
【０３４９】
（２）他の実施の形態
（２−１）他の実施の形態１
なお上述した実施の形態においては、通帳カードステージ３０においてステージ板３０Ａの中央前端部にステージ張出部３０ＡＺを設けるようにした場合について述べた。
【０３５０】
しかしながら本発明は、これに限らず、ステージ板３０Ａの前端部の通帳挿入排出口８から突出している範囲内において、突出長さを伸ばしてもカメラ６０による硬貨投入取出口３ＡＸの中央部及び紙幣投入取出口３ＡＹの中央部の撮影を遮らない箇所として例えば、左端寄りの箇所に単独で、又は中央前端部と共にステージ張出部を設けるようにしても良い。
【０３５１】
すなわち、本発明は、ステージ板３０Ａの前端部の通帳挿入排出口８から突出している範囲内において、突出長さを伸ばしてもカメラ６０による硬貨投入取出口３ＡＸの中央部及び紙幣投入取出口３ＡＹの中央部の撮影を遮らない１又は複数の箇所にステージ張出部を設けるようにしても良い。
【０３５２】
そして本発明は、ステージ板３０Ａの前端部にステージ張出部を設ける位置や、当該ステージ張出部の形成及び大きさを、上向パネル３Ａの表面での硬貨投入取出口３ＡＸの中央部及び紙幣投入取出口３ＡＹの形成位置に対する通帳挿入排出口８の形成位置や通帳カードステージ３０の配置位置、カメラ６０の配置位置、撮影範囲等に応じて適宜選定することができる。本発明は、係る構成によっても、上述した実施の形態と同様の効果を得ることができる。
【０３５３】
（２−２）他の実施の形態２
また上述した実施の形態においては、前向パネル３Ｂの中央傾斜面３ＢＱに、ステージ板３０Ａ及びステージ支持板３０Ｂを有する通帳カードステージ３０を設けるようにした場合について述べた。
【０３５４】
しかしながら本発明は、これに限らず、前向パネル３Ｂの中央傾斜面３ＢＱに、ステージ板３０Ａのみを通帳カードステージとして設けるようにしても良い。
【０３５５】
すなわち、本発明は、通帳カードステージを、通帳２５を通帳挿入排出口８に対する挿入排出用に一旦載せ、またカードをカード挿入排出口９に対する挿入排出用に一旦載せるための平板のみで構成するようにしても良い。
【０３５６】
また本発明は、通帳カードステージを平板のみで構成する場合、当該通帳カードステージに上述した実施の形態によるステージ板３０Ａの左後張出部３０ＡＸ及び右後張出部３０ＡＹを設けずに、当該左後張出部３０ＡＸ及び右後張出部３０ＡＹに相当する平板を、通帳挿入排出通路４０及びカード挿入排出通路の構成部品として前向パネル３Ｂの裏面に設けるようにしても良い。
【０３５７】
本発明は、このような種々の構成によっても、上述した実施の形態と同様の効果を得ることができる。
【０３５８】
（２−３）他の実施の形態３
さらに上述した実施の形態においては、前向パネル３Ｂの中央傾斜面３ＢＱに通帳カードステージ３０を設けるようにした場合について述べた。
【０３５９】
しかしながら本発明は、これに限らず、前向パネル３Ｂの中央傾斜面３ＢＱに、通帳２５専用のステージ（すなわち、通帳２５のみを通帳挿入排出口８に対する挿入排出用に一旦載せることができるステージ）を通帳挿入排出口８の下縁から突出させるようにして設けるようにしても良い。
【０３６０】
また本発明は、前向パネル３Ｂの中央傾斜面３ＢＱに、カード専用のステージ（すなわち、カードのみをカード挿入排出口９に対する挿入排出用に一旦載せることができるステージ）をカード挿入排出口９の下縁から突出させるようにして設けるようにしても良い。
【０３６１】
そして本発明は、係る通帳２５専用のステージを、カメラ６０による硬貨投入取出口３ＡＸの中央部及び紙幣投入取出口３ＡＹの中央部の撮影を遮らない突出長さにするものの、突出長さＬ２を伸ばしてもカメラ６０による硬貨投入取出口３ＡＸの中央部及び紙幣投入取出口３ＡＹの中央部の撮影を遮らない箇所にはステージ張出部を設けて突出長さを伸ばすようにしても良い。
【０３６２】
本発明は、このような構成によっても、上述した実施の形態と同様の効果を得ることができる。
【０３６３】
（２−４）他の実施の形態４
さらに上述した実施の形態においては、上向パネル３Ａの表面の左後端部に硬貨投入取出口３ＡＸを形成すると共に、右後端部に紙幣投入取出口３ＡＹを形成するようにした場合について述べた。
【０３６４】
しかしながら本発明は、これに限らず、上向パネル３Ａの表面の左後端部に紙幣投入取出口３ＡＹを形成すると共に、右後端部に硬貨投入取出口３ＡＸを形成するようにしても良い。
【０３６５】
（２−５）他の実施の形態５
さらに上述した実施の形態においては、前向パネル３Ｂの中央傾斜面３ＢＱにおいて左下端部に通帳挿入排出口８を形成すると共に、右下端部にカード挿入排出口９を形成するようにした場合について述べた。
【０３６６】
しかしながら本発明は、これに限らず、前向パネル３Ｂの中央傾斜面３ＢＱにおいて左下端部にカード挿入排出口９を形成すると共に、右下端部に通帳挿入排出口８を形成するようにしても良い。
【０３６７】
（２−６）他の実施の形態６
さらに上述した実施の形態においては、通帳口通知部３５において複数の発光素子３６にそれぞれ発射光を連続的に発射させて、導光部３８の前向発光面３８Ｅ及び下向発光面３８ＡＸを連続的に面発光させると共に、ステージ板３０Ａの上面のステージ照射範囲ＲＡを連続的に照明するようにした場合について述べた。
【０３６８】
しかしながら本発明は、これに限らず、通帳口通知部３５において複数の発光素子３６にそれぞれ発射光を間欠的に発射させて、導光部３８の前向発光面３８Ｅ及び下向発光面３８ＡＸを間欠的に面発光させると共に、ステージ板３０Ａの上面のステージ照射範囲ＲＡを間欠的に照明するようにしても良い。本発明は、係る構成によっても、上述した実施の形態と同様の効果を得ることができる。
【０３６９】
（２−７）他の実施の形態７
さらに上述した実施の形態においては、本発明による現金取扱装置を、図１乃至図１１について上述した現金自動預払機１に適用するようにした場合について述べた。
【０３７０】
しかしながら本発明は、これに限らず、現金自動支払機（CD：Cash  Dispenser）や入金専用機、出金専用機等のように、この他種々の構成の現金取扱装置に広く適用することができる。
【０３７１】
（２−８）他の実施の形態８
さらに上述した実施の形態においては、上側を向く表面の後端部に硬貨を投入させ、また取り出させるための硬貨投入取出口と、紙幣を投入させ、また取り出させるための紙幣投入取出口とが並べて形成された上向パネルと、前側を向く表面において硬貨投入取出口及び紙幣投入取出口の上側となる所定位置に通帳を挿入及び排出するための通帳挿入排出口が形成された前向パネルとを有するフロントパネルとして、図１乃至図１１について上述したフロントパネル３を適用するようにした場合について述べた。
【０３７２】
しかしながら本発明は、これに限らず、上向パネルに対し前向パネルが垂直に設けられたフロントパネルや、表面がほぼ水平な上向パネルを有するフロントパネル、表面が平坦に形成された前向パネルを有するフロントパネル等のように、この他種々の構成のフロントパネルを広く適用することができる。
【０３７３】
（２−９）他の実施の形態９
さらに上述した実施の形態においては、上向パネルの上側を向く表面の後端部に形成された硬貨投入取出口として、図１乃至図１１について上述した略円形状の硬貨投入取出口３ＡＸを適用するようにした場合について述べた。
【０３７４】
しかしながら本発明は、これに限らず、正方形状や楕円形状、長方形状等のように、この他種々の形状の硬貨投入取出口を広く適用することができる。
【０３７５】
（２−１０）他の実施の形態１０
さらに上述した実施の形態においては、上向パネルの上側を向く表面の後端部に形成された紙幣投入取出口として、図１乃至図１１について上述した略長方形状の紙幣投入取出口３ＡＹを適用するようにした場合について述べた。
【０３７６】
しかしながら本発明は、これに限らず、正方形状や楕円形状等のように、この他種々の形状の紙幣投入取出口を広く適用することができる。
【０３７７】
（２−１１）他の実施の形態１１
さらに上述した実施の形態においては、前向パネルの前側を向く表面において硬貨投入取出口及び紙幣投入取出口の上側となる所定位置に形成された通帳挿入排出口として、図１乃至図１１について上述した横幅が通帳横幅よりも長い所定長さに選定されると共に、縦幅が例えば、閉じた状態の通帳２５を２、３冊重ねた場合の全体の厚みに相当するような所定長さに選定された略長方形状の通帳挿入排出口８を適用するようにした場合について述べた。
【０３７８】
しかしながら本発明は、これに限らず、横幅が通帳横幅とほぼ等しい長さに選定されると共に、縦幅が閉じた状態の１冊の通帳２５の厚みとほぼ等しい長さに選定された略長方形状の通帳挿入排出口や、横幅が通帳横幅とほぼ等しい長さに選定されると共に、縦幅が閉じた状態の通帳２５を２、３冊重ねた場合の全体の厚みに相当するような長さに選定された略長方形状の通帳挿入排出口等のように、この他種々の構成の通帳挿入排出口を広く適用することができる。
【０３７９】
（２−１２）他の実施の形態１２
さらに上述した実施の形態においては、前向パネルの表面に、通帳挿入排出口の下縁から前側に突出するように設けられたステージとして、図１乃至図１１について上述した通帳カードステージ３０を適用するようにした場合について述べた。
【０３８０】
しかしながら本発明は、これに限らず、ステージ板３０Ａのみで構成されるステージや、通帳挿入排出口８専用のステージ等のように、この他種々の構成のステージを広く適用することができる。
【０３８１】
（２−１３）他の実施の形態１３
さらに上述した実施の形態においては、ステージよりも上側となる前向パネルの所定位置に配置され、少なくとも硬貨投入取出口の中央部から紙幣投入取出口の中央部までを撮影範囲とするカメラとして、図１乃至図１１について上述した前向パネル３Ｂの裏面に配置されたカメラ６０を適用するようにした場合について述べた。
【０３８２】
しかしながら本発明は、これに限らず、前向パネル３Ｂの上部傾斜面３ＢＰ（すなわち、表面）に突出させるようにして設けられたカメラのように、この他種々のカメラを広く適用することができる。
【０３８３】
（２−１４）他の実施の形態１４
さらに上述した実施の形態においては、ステージに設けられたステージ張出部として、図１乃至図１１について上述した略台形状のステージ張出部３０ＡＺを適用するようにした場合について述べた。
【０３８４】
しかしながら本発明は、これに限らず、山形のステージ張出部や、左右の端部に弓形状に凹む切欠き部が形成されたステージ張出部等のように、この他種々の構成のステージ張出部を広く適用することができる。
【０３８５】
（２−１５）他の実施の形態１５
さらに上述した実施の形態においては、前向パネルに設けられ、通帳挿入排出口の位置を通知するための通帳口通知部として、図１乃至図１１について上述した通帳口通知部３５を適用するようにした場合について述べた。
【０３８６】
しかしながら本発明は、これに限らず、複数の発光素子３６に換えて冷陰極管を有する通帳口通知部のように、この他種々の構成の通帳口通知部を広く適用することができる。
【０３８７】
（２−１６）他の実施の形態１６
さらに上述した実施の形態においては、光源として、図１乃至図１１について上述した複数の発光素子３６を適用するようにした場合について述べた。
【０３８８】
しかしながら本発明は、これに限らず、冷陰極管のように、この他種々の光源を広く適用することができる。
【０３８９】
（２−１７）他の実施の形態１７
さらに上述した実施の形態においては、各発光素子の発射した発射光を導光してコ字状の発光面を面発光させる導光部として、図１乃至図１１について上述した導光部３８を適用するようにした場合について述べた。
【０３９０】
しかしながら本発明は、これに限らず、例えば、左導光板３８Ｃの下端面から右導光板３８Ｄの下端面に亘り細長い平板状の下導光板を設け、当該下導光板を、ステージ板３０Ａの上面に形成した溝部に嵌合させて配置される導光部のように、この他種々の構成の導光部を広く適用することができる。
【０３９１】
（２−１８）他の実施の形態１８
さらに上述した実施の形態においては、前向パネルの表面に、通帳挿入排出口と並べるようにして形成されたカード挿入排出口として、図１乃至図１１について上述した横幅がカードの横幅よりも長い所定長さに選定されると共に、縦幅がカードを２、３枚重ねた場合の全体の厚みに相当するような所定長さに選定されたカード挿入排出口９を適用するようにした場合について述べた。
【０３９２】
しかしながら本発明は、これに限らず、横幅がカードの横幅とほぼ等しい長さに選定されると共に、縦幅がカード１枚の厚みとほぼ等しい長さに選定された略長方形状のカード挿入排出口や、横幅がカードの横幅とほぼ等しい長さに選定されると共に、縦幅がカードを２、３枚重ねた場合の全体の厚みに相当するような長さに選定された略長方形状のカード挿入排出口等のように、この他種々の構成のカード挿入排出口を広く適用することができる。
【産業上の利用可能性】
【０３９３】
本発明は、現金自動預払機や現金自動支払機等の現金取扱装置に利用することができる。
【符号の説明】
【０３９４】
１……現金自動預払機、３……フロントパネル、３Ａ……上向パネル、３ＡＸ……硬貨投入取出口、３ＡＹ……紙幣投入取出口、３Ｂ……前向パネル、３ＢＰ……上部傾斜面、３ＢＱ……中央傾斜面、８……通帳挿入排出口、９……カード挿入排出口、２５……通帳、３０……通帳カードステージ、３０Ａ……ステージ板、３０ＡＺ……ステージ張出部、３５……通帳口通知部、３６……発光素子、３７……回路基板、３８……導光部、６０……カメラ。
【図１】
2014078068.tif 000003
【図２】
2014078068.tif 000004
【図３】
2014078068.tif 000005
【図４】
2014078068.tif 000006
【図５】
2014078068.tif 000007
【図６】
2014078068.tif 000008
【図７】
2014078068.tif 000009
【図８】
2014078068.tif 000010
【図９】
2014078068.tif 000011
【図１０】
2014078068.tif 000012
【図１１】
2014078068.tif 000013
【図１２】
2014078068.tif 000014
【図１３】
2014078068.tif 000015
【図１４】
2014078068.tif 000016
【図１５】
2014078068.tif 000017
【図１６】
2014078068.tif 000018